(57)【要約】【課題】特定のエリアに多数の無線端末装置が存在する場合であっても、当該エリアを形成する無線基地局装置にかかる負荷を軽減させることができる無線端末装置、通信システム、通信制御方法および通信制御プログラムを提供する。【解決手段】無線端末装置２０２Ｂは、複数の無線基地局装置と通信可能な無線端末装置２０２Ｂであって、無線基地局装置が特定の無線基地局装置であるか否かを判断するための判断部３７と、判断部３７により特定の無線基地局装置であると判断された無線基地局装置に対して選択的に通信接続を確立する処理を行うための通信制御部３８とを備える。【選択図】図２
2014017801.tif 000002
【特許請求の範囲】
【請求項１】
複数の無線基地局装置と通信可能な無線端末装置であって、
前記無線基地局装置が特定の無線基地局装置であるか否かを判断するための判断部と、
前記判断部により前記特定の無線基地局装置であると判断された前記無線基地局装置に対して選択的に通信接続を確立する処理を行うための通信制御部とを備える、無線端末装置。
【請求項２】
前記無線基地局装置は、所定の加入者グループに属する無線端末装置に対して自己との通信を許可する動作を行うことが可能であり、
前記判断部は、自己の無線端末装置の属する加入者グループを許可対象とする無線基地局装置を、前記特定の無線基地局装置であると判断する、請求項１に記載の無線端末装置。
【請求項３】
前記無線端末装置は、さらに、
自己の無線端末装置との間で過去に通信接続が確立された前記無線基地局装置を記憶するための記憶部を備え、
前記判断部は、前記記憶部に記憶されている前記無線基地局装置について、前記特定の無線基地局装置であるか否かの判断を優先的に行う、請求項１または請求項２に記載の無線端末装置。
【請求項４】
前記無線端末装置は、さらに、
自己の無線端末装置の通信接続先の無線基地局装置であるサービング基地局から、前記サービング基地局以外の無線基地局装置に関する基地局情報を取得するための情報取得部を備え、
前記判断部は、自己の無線端末装置が前記サービング基地局から他の無線基地局装置へ通信接続先を変更する際、前記情報取得部により取得された前記基地局情報に対応する前記無線基地局装置の中から通信接続先の無線基地局装置を選択する、請求項１から請求項３のいずれか１項に記載の無線端末装置。
【請求項５】
前記無線端末装置は、３ＧＰＰ(Third Generation Partnership Project)で規定されたＡｕｔｏｎｏｍｏｕｓ  Ｓｅａｒｃｈが無効にされている、請求項１から請求項４のいずれか１項に記載の無線端末装置。
【請求項６】
前記判断部は、前記無線基地局装置の識別情報を前記無線基地局装置から取得し、
前記無線端末装置は、さらに、
１または複数の前記無線基地局装置の識別情報を含む識別情報リストを記憶するためのリスト記憶部を備え、
前記判断部は、取得した前記識別情報が前記識別情報リストに含まれているか否かに基づいて、前記無線基地局装置が前記特定の無線基地局装置であるか否かを判断する、請求項１に記載の無線端末装置。
【請求項７】
前記判断部は、自己の無線端末装置と無線基地局装置との通信接続が確立された場合、通信接続が確立された無線基地局装置の識別情報が前記識別情報リストに含まれているか否かを確認し、前記識別情報が前記識別情報リストに含まれていない場合、前記識別情報を前記識別情報リストに追加する、請求項６に記載の無線端末装置。
【請求項８】
前記判断部は、前記無線基地局装置の種別が所定種別であるか否かを判断し、
前記通信制御部は、前記判断部により前記所定種別であると判断された無線基地局装置に対して通信接続を確立するための処理を開始する、請求項７に記載の無線端末装置。
【請求項９】
１または複数の無線基地局装置と、
複数の前記無線基地局装置と通信可能な無線端末装置とを備える通信システムであって、
前記無線端末装置は、前記無線基地局装置が特定の無線基地局装置であるか否かを判断し、前記特定の無線基地局装置であると判断した前記無線基地局装置に対して選択的に通信接続を確立する処理を行う、通信システム。
【請求項１０】
前記特定の無線基地局装置は、所定の加入者グループに属する前記無線端末装置および異なる加入者グループに属する無線端末装置の両方に対して通信を許可するハイブリッドモードで動作する、請求項９に記載の通信システム。
【請求項１１】
前記無線基地局装置は、所定の加入者グループに属する無線端末装置に対して自己との通信を許可する動作を行うことが可能であり、
前記無線端末装置の通信接続先の無線基地局装置であるサービング基地局は、自己以外の無線基地局装置のうち、自己が通信を許可する加入者グループを許可対象とする無線基地局装置、に関する基地局情報を前記無線端末装置へ送信し、
前記無線端末装置は、前記サービング基地局から他の無線基地局装置へ通信接続先を変更する際、前記サービング基地局から受信した前記基地局情報に対応する前記無線基地局装置の中から通信接続先の無線基地局装置を選択する、請求項９または請求項１０に記載の通信システム。
【請求項１２】
前記通信システムは、さらに、
複数の前記無線基地局装置と上位ネットワークとの間で送受信されるデータを中継するためのゲートウェイ装置を備え、
１または複数の前記無線基地局装置は、所定の加入者グループに属する無線端末装置に対して自己との通信を許可する動作を行うことが可能である、請求項９から請求項１１のいずれか１項に記載の通信システム。
【請求項１３】
前記ゲートウェイ装置は、上位ネットワークと、１または複数の前記無線基地局装置をそれぞれ含む下位ネットワークとの間で送受信されるデータを中継し、
前記下位ネットワーク毎に、前記無線基地局装置が通信を許可する前記加入者グループが異なる、請求項１２に記載の通信システム。
【請求項１４】
前記無線基地局装置は、自己の識別情報を報知し、
前記無線端末装置は、１または複数の前記無線基地局装置の識別情報を含む識別情報リストを記憶し、前記無線基地局装置から報知された前記識別情報が前記識別情報リストに含まれているか否かに基づいて、前記無線基地局装置が前記特定の無線基地局装置であるか否かを判断する、請求項９に記載の通信システム。
【請求項１５】
前記無線端末装置は、前記無線基地局装置に対する通信接続を確立した後、アタッチ処理を行うためのアタッチ要求を前記無線基地局装置へ送信し、
前記無線基地局装置は、前記無線端末装置から前記アタッチ要求を受信すると、前記無線端末装置の識別情報および自己の識別情報が含まれるアタッチ要求を上位ネットワークへ送信し、
前記上位ネットワークにおける上位装置は、前記無線端末装置の識別情報および前記無線基地局装置の識別情報に基づいて、前記無線端末装置と前記無線基地局装置との通信接続の可否を判定する、請求項１４に記載の通信システム。
【請求項１６】
前記上位ネットワークにおける上位装置は、１または複数の前記無線基地局装置を管理するための通信制御装置である、請求項１５に記載の通信システム。
【請求項１７】
前記上位ネットワークにおける上位装置は、無線端末装置の加入者情報を管理するための加入者情報管理装置である、請求項１５に記載の通信システム。
【請求項１８】
前記上位ネットワークにおける上位装置は、前記無線基地局装置から送信された前記アタッチ要求に対する応答を前記無線基地局装置へ送信するまでに、前記無線端末装置と前記無線基地局装置との通信接続の可否の判定を行う、請求項１５から請求項１７のいずれか１項に記載の通信システム。
【請求項１９】
複数の無線基地局装置と通信可能な無線端末装置であって、
前記無線基地局装置に関する基地局情報を取得するための情報取得部と、
前記情報取得部により取得された前記基地局情報に基づいて、前記基地局情報に対応する前記無線基地局装置が所定の加入者グループに属する無線端末装置に対して前記無線基地局装置との通信を許可する許可動作を行うか否かを判断するための判断部と、
前記無線基地局装置が前記許可動作を行う場合には、前記無線基地局装置に対する通信接続を確立する処理を行うための通信制御部とを備える、無線端末装置。
【請求項２０】
前記判断部は、前記無線基地局装置が前記許可動作を行わない場合には、新たに取得された前記基地局情報に対応する無線基地局装置が前記許可動作を行うか否かを判断する、請求項１９に記載の無線端末装置。
【請求項２１】
前記通信制御部は、前記無線基地局装置に対する通信接続を確立する処理を行う場合、キャンプ処理を前記無線基地局装置に対して行う、請求項１９または請求項２０に記載の無線端末装置。
【請求項２２】
前記通信制御部は、前記無線基地局装置に対する通信接続を確立する処理を行う場合、アタッチ処理を行う、請求項１９または請求項２０に記載の無線端末装置。
【請求項２３】
複数の無線基地局装置と通信可能な無線端末装置であって、
前記無線基地局装置は、所定の加入者グループに属する無線端末装置に対して自己との通信を許可する動作を行うことが可能であり、
前記無線端末装置は、前記無線基地局装置に関する基地局情報を取得するための情報取得部と、
前記情報取得部により取得された前記基地局情報に基づいて、前記基地局情報に対応する前記無線基地局装置が自己の無線端末装置の属する加入者グループを許可対象とする無線基地局装置であるか否かを判断するための判断部と、
前記無線基地局装置が自己の無線端末装置の属する加入者グループを許可対象とする場合には、前記無線基地局装置に対する通信接続を確立する処理を行うための通信制御部とを備える、無線端末装置。
【請求項２４】
前記判断部は、前記無線基地局装置が自己の無線端末装置の属する加入者グループを許可対象としない場合には、新たに取得された前記基地局情報に対応する無線基地局装置が自己の無線端末装置の属する加入者グループを許可対象とする無線基地局装置であるか否かを判断する、請求項２３に記載の無線端末装置。
【請求項２５】
前記判断部は、前記情報取得部により取得された前記基地局情報に基づいて、前記基地局情報に対応する前記無線基地局装置が所定の加入者グループに属する無線端末装置に対して通信を許可する許可動作を行うか否かを判断し、前記無線基地局装置が前記許可動作を行う場合には、前記無線基地局装置が、自己の無線端末装置の属する加入者グループを許可対象とする無線基地局装置であるか否かを判断する、請求項２３または請求項２４に記載の無線端末装置。
【請求項２６】
前記通信制御部は、前記無線基地局装置に対する通信接続を確立する処理を行う場合、キャンプ処理を前記無線基地局装置に対して行う、請求項２３から請求項２５のいずれか１項に記載の無線端末装置。
【請求項２７】
前記通信制御部は、前記無線基地局装置に対する通信接続を確立する処理を行う場合、アタッチ処理を行う、請求項２３から請求項２５のいずれか１項に記載の無線端末装置。
【請求項２８】
前記無線端末装置は、固定的に設置されるか、または所定のエリア内での移動に制限されている、請求項１から請求項８および請求項１９から請求項２７のいずれか１項に記載の無線端末装置。
【請求項２９】
前記無線端末装置は、固定的に設置されるか、または所定のエリア内での移動に制限されている、請求項９から請求項１８のいずれか１項に記載の通信システム。
【請求項３０】
複数の無線基地局装置と通信可能な無線端末装置における通信制御方法であって、
前記無線基地局装置が特定の無線基地局装置であるか否かを判断するステップと、
前記特定の無線基地局装置であると判断した前記無線基地局装置に対して選択的に通信接続を確立する処理を行うステップとを含む、通信制御方法。
【請求項３１】
１または複数の無線基地局装置と、
複数の前記無線基地局装置と通信可能な無線端末装置とを備える通信システムにおける通信制御方法であって、
前記無線端末装置が、前記無線基地局装置が特定の無線基地局装置であるか否かを判断するステップと、
前記無線端末装置が、前記特定の無線基地局装置であると判断した前記無線基地局装置に対して選択的に通信接続を確立する処理を行うステップとを含む、通信制御方法。
【請求項３２】
複数の無線基地局装置と通信可能な無線端末装置における通信制御方法であって、
前記無線基地局装置に関する基地局情報を取得するステップと、
取得した前記基地局情報に基づいて、前記基地局情報に対応する前記無線基地局装置が所定の加入者グループに属する無線端末装置に対して前記無線基地局装置との通信を許可する許可動作を行うか否かを判断するステップと、
前記無線基地局装置が前記許可動作を行う場合には、前記無線基地局装置に対する通信接続を確立する処理を行うステップとを含む、通信制御方法。
【請求項３３】
複数の無線基地局装置と通信可能な無線端末装置における通信制御方法であって、
前記無線基地局装置は、所定の加入者グループに属する無線端末装置に対して自己との通信を許可する動作を行うことが可能であり、
前記通信制御方法は、前記無線基地局装置に関する基地局情報を取得するステップと、
取得した前記基地局情報に基づいて、前記基地局情報に対応する前記無線基地局装置が自己の無線端末装置の属する加入者グループを許可対象とする無線基地局装置であるか否かを判断するステップと、
前記無線基地局装置が自己の無線端末装置の属する加入者グループを許可対象とする場合には、前記無線基地局装置に対する通信接続を確立する処理を行うステップとを含む、通信制御方法。
【請求項３４】
複数の無線基地局装置と通信可能な無線端末装置において用いられる通信制御プログラムであって、
コンピュータに、
前記無線基地局装置が特定の無線基地局装置であるか否かを判断するステップと、
前記特定の無線基地局装置であると判断した前記無線基地局装置に対して選択的に通信接続を確立する処理を行うステップとを実行させるための、通信制御プログラム。
【請求項３５】
１または複数の無線基地局装置と、
複数の前記無線基地局装置と通信可能な無線端末装置とを備える通信システムにおいて用いられる通信制御プログラムであって、
コンピュータに、
前記無線端末装置が、前記無線基地局装置が特定の無線基地局装置であるか否かを判断するステップと、
前記無線端末装置が、前記特定の無線基地局装置であると判断した前記無線基地局装置に対して選択的に通信接続を確立する処理を行うステップとを実行させるための、通信制御プログラム。
【請求項３６】
複数の無線基地局装置と通信可能な無線端末装置において用いられる通信制御プログラムであって、
コンピュータに、
前記無線基地局装置に関する基地局情報を取得するステップと、
取得した前記基地局情報に基づいて、前記基地局情報に対応する前記無線基地局装置が所定の加入者グループに属する無線端末装置に対して前記無線基地局装置との通信を許可する許可動作を行うか否かを判断するステップと、
前記無線基地局装置が前記許可動作を行う場合には、前記無線基地局装置に対する通信接続を確立する処理を行うステップとを実行させるための、通信制御プログラム。
【請求項３７】
複数の無線基地局装置と通信可能な無線端末装置において用いられる通信制御プログラムであって、
前記無線基地局装置は、所定の加入者グループに属する無線端末装置に対して自己との通信を許可する動作を行うことが可能であり、
前記通信制御プログラムは、
コンピュータに、
前記無線基地局装置に関する基地局情報を取得するステップと、
取得した前記基地局情報に基づいて、前記基地局情報に対応する前記無線基地局装置が自己の無線端末装置の属する加入者グループを許可対象とする無線基地局装置であるか否かを判断するステップと、
前記無線基地局装置が自己の無線端末装置の属する加入者グループを許可対象とする場合には、前記無線基地局装置に対する通信接続を確立する処理を行うステップとを実行させるための、通信制御プログラム。
【発明の詳細な説明】
【技術分野】
【０００１】
本発明は、無線端末装置、通信システム、通信制御方法および通信制御プログラムに関し、特に、無線端末装置が複数の無線基地局装置と通信可能な通信システムにおける無線端末装置、通信システム、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置による通信サービスが提供されてきた。
【０００３】
また、このような通信サービスを利用したシステムとして、無線機を搭載した機器同士が人間を介在せずに相互に情報交換することによって、たとえば自動販売機に内蔵されている商品の在庫状況が自動的に管理装置にレポートされるなど、自動的に機器の制御が行われるＭ２Ｍ（Machine to Machine）ネットワークシステムが知られている。
【０００４】
たとえば、Ｍ２Ｍネットワークシステムは、通信手順を簡略化して消費電力を抑えるため、無線端末ごとにあらかじめ定められた送信先である端末のアドレスを保持する端末アドレス保持手段を有し、無線端末から端末へメッセージを送信する際には、ゲートウェイノードが、無線端末より無線フレームを受信すると、端末アドレス保持手段にアクセスして、無線端末ごとにメッセージの送信先の端末アドレスを特定し、該特定した送信先の端末、すなわち固定相手先にゲートウェイを介してメッセージを送信する（特許文献１参照）。
【先行技術文献】
【特許文献】
【０００５】
【特許文献１】特許第４２３７１３４号公報
【発明の概要】
【発明が解決しようとする課題】
【０００６】
ところで、近年の移動通信サービスの加入者数の劇的な増加により無線端末装置が特定のエリアに多数存在する場合がある。また、上述したＭ２Ｍネットワークにおいては、無線機を搭載した機器は広範囲に亘って移動することが少ないため、たとえば工場内など多数の機器が存在するエリアでは常時多数の無線端末装置が特定のエリアに存在する。これらの場合、多数の無線端末装置または無線機を搭載した機器から当該エリアを形成する無線基地局装置へのアクセスが集中することがあり、当該無線基地局装置に多大な負荷がかかるという問題がある。
【０００７】
この発明は、上述の課題を解決するためになされたもので、その目的は、特定のエリアに多数の無線端末装置が存在する場合であっても、当該エリアを形成する無線基地局装置にかかる負荷を軽減させることができる無線端末装置、通信システム、通信制御方法および通信制御プログラムを提供することである。
【課題を解決するための手段】
【０００８】
（１）上記課題を解決するために、この発明のある局面に係わる無線端末装置は、複数の無線基地局装置と通信可能な無線端末装置であって、上記無線基地局装置が特定の無線基地局装置であるか否かを判断するための判断部と、上記判断部により上記特定の無線基地局装置であると判断された上記無線基地局装置に対して選択的に通信接続を確立する処理を行うための通信制御部とを備える。
【０００９】
このように、無線端末装置の通信接続先を特定の無線基地局装置に制限することにより、公衆移動通信網等の他の無線基地局装置によるネットワークに大きな影響を与えることなく、当該無線端末装置および特定の無線基地局装置によるネットワークを柔軟に構築することができる。
【００１０】
また、上記のように、制限されたネットワーク内において当該無線端末装置と特定の無線基地局装置との間の通信接続が確立されるため、多数の無線端末装置が特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００１１】
（２）好ましくは、上記無線基地局装置は、所定の加入者グループに属する無線端末装置に対して自己との通信を許可する動作を行うことが可能であり、上記判断部は、自己の無線端末装置の属する加入者グループを許可対象とする無線基地局装置を、上記特定の無線基地局装置であると判断する。
【００１２】
このような構成により、無線端末装置と、当該無線端末装置の通信接続先として適切な無線基地局装置とを予め容易に対応付けておくことができる。
【００１３】
（３）好ましくは、上記無線端末装置は、さらに、自己の無線端末装置との間で過去に通信接続が確立された上記無線基地局装置を記憶するための記憶部を備え、上記判断部は、上記記憶部に記憶されている上記無線基地局装置について、上記特定の無線基地局装置であるか否かの判断を優先的に行う。
【００１４】
このような構成により、無線端末装置は、自己の通信接続先となる可能性の高い無線基地局装置から優先的に特定の無線基地局装置であるか否かの判断が行われるため、無線端末装置による上記判断のための処理を軽減させることができる。
【００１５】
（４）好ましくは、上記無線端末装置は、さらに、自己の無線端末装置の通信接続先の無線基地局装置であるサービング基地局から、上記サービング基地局以外の無線基地局装置に関する基地局情報を取得するための情報取得部を備え、上記判断部は、自己の無線端末装置が上記サービング基地局から他の無線基地局装置へ通信接続先を変更する際、上記情報取得部により取得された上記基地局情報に対応する上記無線基地局装置の中から通信接続先の無線基地局装置を選択する。
【００１６】
たとえば、無線端末装置は、周辺の無線基地局装置から送信される無線信号を測定して、測定した無線信号の受信レベルなどに基づいて自己の通信接続先の無線基地局装置を自律的に選択する機能（Autonomous Search）を有し、特定の無線基地局装置以外の無線基地局装置を通信接続先として自律的に選択する場合がある。これに対して、本発明に係る無線端末装置は、上記のように、サービング基地局から送信される基地局情報に対応する無線基地局装置の中から無線端末装置の通信接続先を選択するため、特定の無線基地局装置以外の無線基地局装置が通信接続先として選択されることを防ぐことができる。
【００１７】
（５）好ましくは、上記無線端末装置は、３ＧＰＰ(Third Generation Partnership Project)で規定されたＡｕｔｏｎｏｍｏｕｓ  Ｓｅａｒｃｈが無効にされている。
【００１８】
このように、無線端末装置の「Autonomous Search」が無効にされていることにより、特定の無線基地局装置以外の無線基地局装置が無線端末装置の通信接続先として選択されることを防ぐことができる。
【００１９】
（６）好ましくは、上記判断部は、上記無線基地局装置の識別情報を上記無線基地局装置から取得し、上記無線端末装置は、さらに、１または複数の上記無線基地局装置の識別情報を含む識別情報リストを記憶するためのリスト記憶部を備え、上記判断部は、取得した上記識別情報が上記識別情報リストに含まれているか否かに基づいて、上記無線基地局装置が上記特定の無線基地局装置であるか否かを判断する。
【００２０】
このように、無線端末装置が、無線基地局装置の識別情報のリストを備えることにより、複雑な判断処理を行うことなく、当該無線端末装置の通信接続先として適切な無線基地局装置であるか否かの判断を容易に行うことができる。
【００２１】
（７）好ましくは、上記判断部は、自己の無線端末装置と無線基地局装置との通信接続が確立された場合、通信接続が確立された無線基地局装置の識別情報が上記識別情報リストに含まれているか否かを確認し、上記識別情報が上記識別情報リストに含まれていない場合、上記識別情報を上記識別情報リストに追加する。
【００２２】
このような構成により、ネットワークに新たに無線基地局装置が追加された場合などであっても、当該無線基地局装置の識別情報を識別情報リストに追加することができるため、識別情報リストへの追加後は、既に識別情報リストに含まれる他の無線基地局装置と同様に、当該新たな無線基地局装置を特定の無線基地局装置として判断することができる。
【００２３】
（８）好ましくは、上記判断部は、上記無線基地局装置の種別が所定種別であるか否かを判断し、上記通信制御部は、上記判断部により上記所定種別であると判断された無線基地局装置に対して通信接続を確立するための処理を開始する。
【００２４】
このような構成により、無線端末装置は、たとえばフェムト基地局など、自己との通信接続が可能である確率の高い無線基地局装置に対して、優先的に通信接続を確立するための処理を開始することができる。
【００２５】
（９）上記課題を解決するために、この発明のある局面に係わる通信システムは、１または複数の無線基地局装置と、複数の上記無線基地局装置と通信可能な無線端末装置とを備える通信システムであって、上記無線端末装置は、上記無線基地局装置が特定の無線基地局装置であるか否かを判断し、上記特定の無線基地局装置であると判断した上記無線基地局装置に対して選択的に通信接続を確立する処理を行う。
【００２６】
このように、無線端末装置の通信接続先を特定の無線基地局装置に制限することにより、公衆移動通信網等の他の無線基地局装置によるネットワークに大きな影響を与えることなく、当該無線端末装置および特定の無線基地局装置によるネットワークを柔軟に構築することができる。
【００２７】
また、上記のように、制限されたネットワーク内において当該無線端末装置と特定の無線基地局装置との間の通信接続が確立されるため、多数の無線端末装置が特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００２８】
（１０）好ましくは、上記特定の無線基地局装置は、所定の加入者グループに属する上記無線端末装置および異なる加入者グループに属する無線端末装置の両方に対して通信を許可するハイブリッドモードで動作する。
【００２９】
このような構成により、所定の加入者グループに属していない携帯電話などの移動端末が特定の無線基地局装置により形成されるセル内に移動した場合に、当該移動端末における通信が切断されることを防ぐことができる。
【００３０】
（１１）好ましくは、上記無線基地局装置は、所定の加入者グループに属する無線端末装置に対して自己との通信を許可する動作を行うことが可能であり、上記無線端末装置の通信接続先の無線基地局装置であるサービング基地局は、自己以外の無線基地局装置のうち、自己が通信を許可する加入者グループを許可対象とする無線基地局装置、に関する基地局情報を上記無線端末装置へ送信し、上記無線端末装置は、上記サービング基地局から他の無線基地局装置へ通信接続先を変更する際、上記サービング基地局から受信した上記基地局情報に対応する上記無線基地局装置の中から通信接続先の無線基地局装置を選択する。
【００３１】
このように、無線端末装置の通信接続先の候補を、当該無線端末装置の属する加入者グループを許可対象にする無線基地局装置に限定したうえで当該無線端末装置に通信接続先の選択を行わせることにより、無線端末装置による選択のための処理を軽減させることができる。
【００３２】
（１２）好ましくは、上記通信システムは、さらに、複数の上記無線基地局装置と上位ネットワークとの間で送受信されるデータを中継するためのゲートウェイ装置を備え、１または複数の上記無線基地局装置は、所定の加入者グループに属する無線端末装置に対して自己との通信を許可する動作を行うことが可能である。
【００３３】
このように、ゲートウェイ装置経由で無線基地局装置と上位ネットワークとを接続することにより、上位ネットワークの管理対象を少なくして、上位ネットワークに集中するアクセスを分散させることができる。
【００３４】
（１３）好ましくは、上記ゲートウェイ装置は、上位ネットワークと、１または複数の上記無線基地局装置をそれぞれ含む下位ネットワークとの間で送受信されるデータを中継し、上記下位ネットワーク毎に、上記無線基地局装置が通信を許可する上記加入者グループが異なる。
【００３５】
このような構成により、Ｍ２Ｍネットワークシステムを適用するエリアがそれぞれ異なる場所に複数存在する状況であっても、これらのエリアをゲートウェイ装置で集約して管理することができる。
【００３６】
（１４）好ましくは、上記無線基地局装置は、自己の識別情報を報知し、上記無線端末装置は、１または複数の上記無線基地局装置の識別情報を含む識別情報リストを記憶し、上記無線基地局装置から報知された上記識別情報が上記識別情報リストに含まれているか否かに基づいて、上記無線基地局装置が上記特定の無線基地局装置であるか否かを判断する。
【００３７】
このように、無線端末装置が、無線基地局装置の識別情報のリストを備えることにより、複雑な判断処理を行うことなく、当該無線端末装置の通信接続先として適切な無線基地局装置であるか否かの判断を容易に行うことができる。
【００３８】
（１５）好ましくは、上記無線端末装置は、上記無線基地局装置に対する通信接続を確立した後、アタッチ処理を行うためのアタッチ要求を前記無線基地局装置へ送信し、上記無線基地局装置は、上記無線端末装置から上記アタッチ要求を受信すると、上記無線端末装置の識別情報および自己の識別情報が含まれるアタッチ要求を上位ネットワークへ送信し、上記上位ネットワークにおける上位装置は、上記無線端末装置の識別情報および上記無線基地局装置の識別情報に基づいて、上記無線端末装置と上記無線基地局装置との通信接続の可否を判定する。
【００３９】
このように、無線端末装置および無線基地局装置に関する情報を管理する上位ネットワークにおける上位装置において通信接続の可否の判定が行われる構成により、通信接続の可否の判定を適切に行うことができる。
【００４０】
また、無線端末装置は、ネットワークを構成する無線基地局装置の追加等に対応するため、識別情報リストに含まれていない無線基地局装置に対して通信接続の確立のための処理を行うことがあり、このような場合に、上記のように、無線端末装置および無線基地局装置に関する情報を管理する上位ネットワークにおける上位装置によって通信接続の可否の判定が行われる構成が一層有効である。
【００４１】
（１６）好ましくは、上記上位ネットワークにおける上位装置は、１または複数の上記無線基地局装置を管理するための通信制御装置である。
【００４２】
このように、無線基地局装置を管理する通信制御装置が上記判定を行う構成であるため、通信接続の可否の判定を適切に行うことができる。
【００４３】
（１７）好ましくは、上記上位ネットワークにおける上位装置は、無線端末装置の加入者情報を管理するための加入者情報管理装置である。
【００４４】
このように、無線端末装置の加入者情報を管理する通信制御装置が上記判定を行う構成であるため、通信接続の可否の判定を適切に行うことができる。
【００４５】
（１８）好ましくは、上記上位ネットワークにおける上位装置は、上記無線基地局装置から送信された上記アタッチ要求に対する応答を上記無線基地局装置へ送信するまでに、上記無線端末装置と上記無線基地局装置との通信接続の可否の判定を行う。
【００４６】
このような構成により、通信接続の可否の判定が行われるまでアタッチ要求に対する応答が無線基地局装置へ送信されないことから、通信接続が許可されていない無線基地局装置と無線端末装置との通信接続が確立されることを防ぐことができる。
【００４７】
（１９）また、上記課題を解決するために、この発明の別の局面に係わる無線端末装置は、複数の無線基地局装置と通信可能な無線端末装置であって、上記無線基地局装置に関する基地局情報を取得するための情報取得部と、上記情報取得部により取得された上記基地局情報に基づいて、上記基地局情報に対応する上記無線基地局装置が所定の加入者グループに属する無線端末装置に対して上記無線基地局装置との通信を許可する許可動作を行うか否かを判断するための判断部と、上記無線基地局装置が上記許可動作を行う場合には、上記無線基地局装置に対する通信接続を確立する処理を行うための通信制御部とを備える。
【００４８】
このような構成により、いずれの加入者グループにも属していない無線端末装置を許可対象とする、すなわちオープンアクセスモードで動作する無線基地局装置に対して通信接続が確立されることを防ぎ、当該無線基地局装置が輻輳状態となることを防ぐことができるため、たとえば携帯電話などのいずれの加入者グループにも属していない移動端末とオープンアクセスモードで動作する無線基地局装置との間における通信が切断されることを防ぎ、通信の安定化を図ることができる。
【００４９】
（２０）好ましくは、上記判断部は、上記無線基地局装置が上記許可動作を行わない場合には、新たに取得された上記基地局情報に対応する無線基地局装置が上記許可動作を行うか否かを判断する。
【００５０】
このように、上記許可動作を行う無線基地局装置が検索されるまで上記判断が繰り返されることにより、所定の加入者グループに属する無線端末装置とオープンアクセスモードで動作する無線基地局装置との間における通信接続が確立されることをより確実に防ぐことができる。
【００５１】
（２１）好ましくは、上記通信制御部は、上記無線基地局装置に対する通信接続を確立する処理を行う場合、キャンプ処理を上記無線基地局装置に対して行う。
【００５２】
このように、無線基地局装置に対する通信接続を確立する処理が行われる場合に、当該無線基地局装置に対してキャンプ処理が行われることにより、無線端末装置と当該無線基地局装置との間における通信を可能にすることができる。
【００５３】
（２２）好ましくは、上記通信制御部は、上記無線基地局装置に対する通信接続を確立する処理を行う場合、アタッチ処理を行う。
【００５４】
このように、無線基地局装置に対する通信接続を確立する処理が行われる場合に、上位ネットワークに対してアタッチ処理が行われることにより、上位ネットワークに対して当該無線端末装置の端末登録を行うことができる。
【００５５】
（２３）また、上記課題を解決するために、この発明の別の局面に係わる無線端末装置は、複数の無線基地局装置と通信可能な無線端末装置であって、上記無線基地局装置は、所定の加入者グループに属する無線端末装置に対して自己との通信を許可する動作を行うことが可能であり、上記無線端末装置は、上記無線基地局装置に関する基地局情報を取得するための情報取得部と、上記情報取得部により取得された上記基地局情報に基づいて、上記基地局情報に対応する上記無線基地局装置が自己の無線端末装置の属する加入者グループを許可対象とする無線基地局装置であるか否かを判断するための判断部と、上記無線基地局装置が自己の無線端末装置の属する加入者グループを許可対象とする場合には、上記無線基地局装置に対する通信接続を確立する処理を行うための通信制御部とを備える。
【００５６】
このように、無線端末装置と、当該無線端末装置の属する加入者グループを許可対象とする無線基地局装置との間の通信接続を確立する構成により、公衆移動通信網等の他の無線基地局装置によるネットワークに大きな影響を与えることなく、当該無線端末装置および当該無線端末装置の属する加入者グループを許可対象とする所定の無線基地局装置によるネットワークを柔軟に構築することができる。
【００５７】
また、上記のように、制限されたネットワーク内において当該無線端末装置と所定の無線基地局装置との間の通信接続が確立されるため、多数の無線端末装置が特定のエリアに存在する場合であっても、上記所定の無線基地局装置以外の無線基地局装置が輻輳状態となることを防ぎ、上記所定の無線基地局装置以外の無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００５８】
（２４）好ましくは、上記判断部は、上記無線基地局装置が自己の無線端末装置の属する加入者グループを許可対象としない場合には、新たに取得された上記基地局情報に対応する無線基地局装置が自己の無線端末装置の属する加入者グループを許可対象とする無線基地局装置であるか否かを判断する。
【００５９】
このように、当該無線端末装置の属する加入者グループを許可対象とする無線基地局装置が検索されるまで上記判断が繰り返されることにより、当該無線端末装置と、当該無線端末装置の属する加入者グループを許可対象とする無線基地局装置以外の無線基地局装置との間において通信接続が確立されることをより確実に防ぐことができる。
【００６０】
（２５）好ましくは、上記判断部は、上記情報取得部により取得された上記基地局情報に基づいて、上記基地局情報に対応する上記無線基地局装置が所定の加入者グループに属する無線端末装置に対して通信を許可する許可動作を行うか否かを判断し、上記無線基地局装置が上記許可動作を行う場合には、上記無線基地局装置が、自己の無線端末装置の属する加入者グループを許可対象とする無線基地局装置であるか否かを判断する。
【００６１】
このような構成により、取得した基地局情報に対応する無線基地局装置が自己の無線端末装置の属する加入者グループを許可対象とする無線基地局装置であるか否かの判断における判断対象を減らすことができるため、上記判断のための処理を軽減させることができる。
【００６２】
（２６）好ましくは、上記通信制御部は、上記無線基地局装置に対する通信接続を確立する処理を行う場合、キャンプ処理を上記無線基地局装置に対して行う。
【００６３】
このように、無線基地局装置に対する通信接続を確立する処理が行われる場合に、当該無線基地局装置に対してキャンプ処理が行われることにより、無線端末装置と当該無線基地局装置との間における通信を可能にすることができる。
【００６４】
（２７）好ましくは、上記通信制御部は、上記無線基地局装置に対する通信接続を確立する処理を行う場合、アタッチ処理を行う。
【００６５】
このように、無線基地局装置に対する通信接続を確立する処理が行われる場合に、上位ネットワークに対してアタッチ処理が行われることにより、上位ネットワークに対して当該無線端末装置の端末登録を行うことができる。
【００６６】
（２８）好ましくは、上記無線端末装置は、固定的に設置されるか、または所定のエリア内での移動に制限されている。
【００６７】
ここで、無線端末装置が固定的に設置されるか、または所定のエリア内での移動に制限されている状況では、特定のエリアに常時多数の無線端末装置が存在することによって無線基地局装置が輻輳状態となる可能性が高い。しかしながら、本発明に係る無線端末装置によれば、制限されたネットワーク内において当該無線端末装置と特定の無線基地局装置との間の通信接続を確立させることができるため、当該無線端末装置が固定的に設置されるか、または所定のエリア内での移動に制限されている状況において特に有効である。
【００６８】
（２９）また、好ましくは、上記通信システムにおける上記無線端末装置は、固定的に設置されるか、または所定のエリア内での移動に制限されている。
【００６９】
本発明に係る通信システムによれば、制限されたネットワーク内において当該複数の無線端末装置と特定の無線基地局装置との間の通信接続を確立させることができるため、当該無線端末装置が固定的に設置されるか、または所定のエリア内での移動に制限されている状況において特に有効である。
【００７０】
（３０）上記課題を解決するために、この発明のある局面に係わる通信制御方法は、複数の無線基地局装置と通信可能な無線端末装置における通信制御方法であって、上記無線基地局装置が特定の無線基地局装置であるか否かを判断するステップと、上記特定の無線基地局装置であると判断した上記無線基地局装置に対して選択的に通信接続を確立する処理を行うステップとを含む。
【００７１】
このように、無線端末装置の通信接続先を特定の無線基地局装置に制限することにより、公衆移動通信網等の他の無線基地局装置によるネットワークに大きな影響を与えることなく、当該無線端末装置および特定の無線基地局装置によるネットワークを柔軟に構築することができる。
【００７２】
また、上記のように、制限されたネットワーク内において当該無線端末装置と特定の無線基地局装置との間の通信接続が確立されるため、多数の無線端末装置が特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００７３】
（３１）また、上記課題を解決するために、この発明の別の局面に係わる通信制御方法は、１または複数の無線基地局装置と、複数の上記無線基地局装置と通信可能な無線端末装置とを備える通信システムにおける通信制御方法であって、上記無線端末装置が、上記無線基地局装置が特定の無線基地局装置であるか否かを判断するステップと、上記無線端末装置が、上記特定の無線基地局装置であると判断した上記無線基地局装置に対して選択的に通信接続を確立する処理を行うステップとを含む。
【００７４】
このように、無線端末装置の通信接続先を特定の無線基地局装置に制限することにより、公衆移動通信網等の他の無線基地局装置によるネットワークに大きな影響を与えることなく、当該無線端末装置および特定の無線基地局装置によるネットワークを柔軟に構築することができる。
【００７５】
また、上記のように、制限されたネットワーク内において当該無線端末装置と特定の無線基地局装置との間の通信接続が確立されるため、多数の無線端末装置が特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００７６】
（３２）また、上記課題を解決するために、この発明の別の局面に係わる通信制御方法は、複数の無線基地局装置と通信可能な無線端末装置における通信制御方法であって、上記無線基地局装置に関する基地局情報を取得するステップと、取得した上記基地局情報に基づいて、上記基地局情報に対応する上記無線基地局装置が所定の加入者グループに属する無線端末装置に対して上記無線基地局装置との通信を許可する許可動作を行うか否かを判断するステップと、上記無線基地局装置が上記許可動作を行う場合には、上記無線基地局装置に対する通信接続を確立する処理を行うステップとを含む。
【００７７】
このような構成により、いずれの加入者グループにも属していない無線端末装置を許可対象とする、すなわちオープンアクセスモードで動作する無線基地局装置に対して通信接続が確立されることを防ぎ、当該無線基地局装置が輻輳状態となることを防ぐことができるため、たとえば携帯電話などのいずれの加入者グループにも属していない移動端末とオープンアクセスモードで動作する無線基地局装置との間における通信が切断されることを防ぎ、通信の安定化を図ることができる。
【００７８】
（３３）また、上記課題を解決するために、この発明の別の局面に係わる通信制御方法は、複数の無線基地局装置と通信可能な無線端末装置における通信制御方法であって、上記無線基地局装置は、所定の加入者グループに属する無線端末装置に対して自己との通信を許可する動作を行うことが可能であり、上記通信制御方法は、上記無線基地局装置に関する基地局情報を取得するステップと、取得した上記基地局情報に基づいて、上記基地局情報に対応する上記無線基地局装置が自己の無線端末装置の属する加入者グループを許可対象とする無線基地局装置であるか否かを判断するステップと、上記無線基地局装置が自己の無線端末装置の属する加入者グループを許可対象とする場合には、上記無線基地局装置に対する通信接続を確立する処理を行うステップとを含む。
【００７９】
このように、無線端末装置と、当該無線端末装置の属する加入者グループを許可対象とする無線基地局装置との間の通信接続を確立する構成により、公衆移動通信網等の他の無線基地局装置によるネットワークに大きな影響を与えることなく、当該無線端末装置および当該無線端末装置の属する加入者グループを許可対象とする所定の無線基地局装置によるネットワークを柔軟に構築することができる。
【００８０】
また、上記のように、制限されたネットワーク内において当該無線端末装置と所定の無線基地局装置との間の通信接続が確立されるため、多数の無線端末装置が特定のエリアに存在する場合であっても、上記所定の無線基地局装置以外の無線基地局装置が輻輳状態となることを防ぎ、上記所定の無線基地局装置以外の無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００８１】
（３４）上記課題を解決するために、この発明のある局面に係わる通信制御プログラムは、複数の無線基地局装置と通信可能な無線端末装置において用いられる通信制御プログラムであって、コンピュータに、上記無線基地局装置が特定の無線基地局装置であるか否かを判断するステップと、上記特定の無線基地局装置であると判断した上記無線基地局装置に対して選択的に通信接続を確立する処理を行うステップとを実行させるためのプログラムである。
【００８２】
このように、無線端末装置の通信接続先を特定の無線基地局装置に制限することにより、公衆移動通信網等の他の無線基地局装置によるネットワークに大きな影響を与えることなく、当該無線端末装置および特定の無線基地局装置によるネットワークを柔軟に構築することができる。
【００８３】
また、上記のように、制限されたネットワーク内において当該無線端末装置と特定の無線基地局装置との間の通信接続が確立されるため、多数の無線端末装置が特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００８４】
（３５）また、上記課題を解決するために、この発明の別の局面に係わる通信制御プログラムは、１または複数の無線基地局装置と、複数の上記無線基地局装置と通信可能な無線端末装置とを備える通信システムにおいて用いられる通信制御プログラムであって、コンピュータに、上記無線端末装置が、上記無線基地局装置が特定の無線基地局装置であるか否かを判断するステップと、上記無線端末装置が、上記特定の無線基地局装置であると判断した上記無線基地局装置に対して選択的に通信接続を確立する処理を行うステップとを実行させるためのプログラムである。
【００８５】
このように、無線端末装置の通信接続先を特定の無線基地局装置に制限することにより、公衆移動通信網等の他の無線基地局装置によるネットワークに大きな影響を与えることなく、当該無線端末装置および特定の無線基地局装置によるネットワークを柔軟に構築することができる。
【００８６】
また、上記のように、制限されたネットワーク内において当該無線端末装置と特定の無線基地局装置との間の通信接続が確立されるため、多数の無線端末装置が特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【００８７】
（３６）また、上記課題を解決するために、この発明の別の局面に係わる通信制御プログラムは、複数の無線基地局装置と通信可能な無線端末装置において用いられる通信制御プログラムであって、コンピュータに、上記無線基地局装置に関する基地局情報を取得するステップと、取得した上記基地局情報に基づいて、上記基地局情報に対応する上記無線基地局装置が所定の加入者グループに属する無線端末装置に対して上記無線基地局装置との通信を許可する許可動作を行うか否かを判断するステップと、上記無線基地局装置が上記許可動作を行う場合には、上記無線基地局装置に対する通信接続を確立する処理を行うステップとを実行させるためのプログラムである。
【００８８】
このような構成により、いずれの加入者グループにも属していない無線端末装置を許可対象とする、すなわちオープンアクセスモードで動作する無線基地局装置に対して通信接続が確立されることを防ぎ、当該無線基地局装置が輻輳状態となることを防ぐことができるため、たとえば携帯電話などのいずれの加入者グループにも属していない移動端末とオープンアクセスモードで動作する無線基地局装置との間における通信が切断されることを防ぎ、通信の安定化を図ることができる。
【００８９】
（３７）また、上記課題を解決するために、この発明の別の局面に係わる通信制御プログラムは、複数の無線基地局装置と通信可能な無線端末装置において用いられる通信制御プログラムであって、上記無線基地局装置は、所定の加入者グループに属する無線端末装置に対して自己との通信を許可する動作を行うことが可能であり、上記通信制御プログラムは、コンピュータに、上記無線基地局装置に関する基地局情報を取得するステップと、取得した上記基地局情報に基づいて、上記基地局情報に対応する上記無線基地局装置が自己の無線端末装置の属する加入者グループを許可対象とする無線基地局装置であるか否かを判断するステップと、上記無線基地局装置が自己の無線端末装置の属する加入者グループを許可対象とする場合には、上記無線基地局装置に対する通信接続を確立する処理を行うステップとを実行させるためのプログラムである。
【００９０】
このように、無線端末装置と、当該無線端末装置の属する加入者グループを許可対象とする無線基地局装置との間の通信接続を確立する構成により、公衆移動通信網等の他の無線基地局装置によるネットワークに大きな影響を与えることなく、当該無線端末装置および当該無線端末装置の属する加入者グループを許可対象とする所定の無線基地局装置によるネットワークを柔軟に構築することができる。
【００９１】
また、上記のように、制限されたネットワーク内において当該無線端末装置と所定の無線基地局装置との間の通信接続が確立されるため、多数の無線端末装置が特定のエリアに存在する場合であっても、上記所定の無線基地局装置以外の無線基地局装置が輻輳状態となることを防ぎ、上記所定の無線基地局装置以外の無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【発明の効果】
【００９２】
本発明によれば、特定のエリアに多数の無線端末装置が存在する場合であっても、当該エリアを形成する無線基地局装置にかかる負荷を軽減させることができる。
【図面の簡単な説明】
【００９３】
【図１】本発明の第１の実施の形態に係る無線端末装置を備える通信システムの比較例を示す図である。
【図２】図１に示す通信システムにおいて、無線端末装置の起動時に無線端末装置が自己の通信接続先となる無線基地局装置を選択する際の動作の流れを示すシーケンスの一例である。
【図３】本発明の第１の実施の形態に係る無線端末装置を備える通信システムの構成を示す図である。
【図４】図３に示す無線基地局装置に割り当てられたＣＳＧ−ＩＤの一例を示す図である。
【図５】図３に示す無線端末装置に割り当てられたＣＳＧ−ＩＤの一例を示す図である。
【図６】本発明の第１の実施の形態に係る無線端末装置の構成を示す図である。
【図７】本発明の第１の実施の形態に係る無線端末装置を備える通信システムにおいて行われる通信接続確立のための処理と、通信プロトコルにおける各レイヤとの対応を示す図である。
【図８】本発明の第１の実施の形態に係る無線端末装置を備える通信システムにおいて、無線端末装置の起動時に無線端末装置が自己の通信接続先となる無線基地局装置を選択する際の動作の流れを示すシーケンスの一例である。
【図９】本発明の第１の実施の形態に係る無線端末装置を備える通信システムにおいて、無線端末装置の起動時に無線端末装置が自己の通信接続先となる無線基地局装置を選択する際の動作の流れを示すシーケンスの一例である。
【図１０】本発明の第１の実施の形態に係る無線端末装置のセル再選択動作のシーケンスの一例を示す図である。
【図１１】本発明の第１の実施の形態の変形例に係る通信システムの構成を示す図である。
【図１２】本発明の第２の実施の形態に係る無線端末装置を備える通信システムの構成を示す図である。
【図１３】本発明の第２の実施の形態に係る無線端末装置の構成を示す図である。
【図１４】本発明の第２の実施の形態に係る無線端末装置を備える通信システムにおいて、無線端末装置が自己の通信接続先となる無線基地局装置を選択する際の動作の流れを示すシーケンスの一例である。
【図１５】本発明の第２の実施の形態に係る無線端末装置を備える通信システムにおいて、無線端末装置が識別情報リストへ新たなセルＩＤを追加する際の動作の流れを示すシーケンスの一例である。
【図１６】本発明の第２の実施の形態に係る無線基地局装置を備える通信システムにおいて、ＭＭＥが無線端末装置と無線基地局装置との通信接続の可否を判断する際の動作の流れを示すシーケンスの一例である。
【図１７】本発明の第２の実施の形態に係る無線基地局装置を備える通信システムにおいて、ＨＳＳが無線端末装置と無線基地局装置との通信接続の可否を判断する際の動作の流れを示すシーケンスの一例である。
【発明を実施するための形態】
【００９４】
以下、本発明の第１の実施の形態および第２の実施の形態について図面を用いて説明する。なお、図中同一または相当部分には同一符号を付してその説明は繰り返さない。
【００９５】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００９６】
たとえば、無線端末装置が無線基地局装置と通信しているときには、無線端末装置の移動先は無線基地局装置またはコアネットワークにおける上位装置が決定する。また、無線端末装置が無線基地局装置と通信していないときには、無線端末装置の移動先は無線端末装置が決定する。
【００９７】
また、ハンドオーバとは、通話中またはデータ通信中の無線端末装置の通信相手となる無線基地局装置が切り替えられることを意味する。
【００９８】
また、無線端末装置がセルに在圏している、とは、無線端末装置が、当該セルを形成する無線基地局装置を通信先すなわち通信接続先として選択し、かつ当該無線基地局装置と通信可能な状態または通信中である状態を意味する。
【００９９】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１００】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１０１】
本発明の第１の実施の形態および第２の実施の形態に係る無線通信システムにおいても、このような３ＧＰＰの定義を適用してもよい。
【０１０２】
また、上記定義と合わせて、あるいは別個に、以下のような定義を適用することも可能である。
【０１０３】
マクロ基地局は、たとえば半径数キロメートルのマクロセルを形成する無線基地局装置であって、事業者の管理下にあり、事業者と契約している無線端末装置が通信可能な無線基地局装置である。また、マクロ基地局は、基本的に電源がオフになることはないと考えられる。
【０１０４】
また、フェムト基地局は、たとえば半径数１０メートルのフェムトセルを形成する無線基地局装置であって、主に個人または法人の建物内に設置され、ユーザの事情により移動するまたは電源がオフとなる可能性がある無線基地局装置である。
【０１０５】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局と同じ動作をする。
【０１０６】
［比較例］
図１は、本発明の第１の実施の形態に係る無線端末装置を備える通信システムの比較例を示す図である。
【０１０７】
図１を参照して、比較例である通信システム４００は、たとえば３ＧＰＰで規格化されたＬＴＥ（Long Term Evolution）に従う移動体通信システムであり、無線基地局装置１０１Ａ，１０１Ｂおよびコアネットワーク（上位ネットワーク）３０１を備える。無線基地局装置１０１Ａ，１０１Ｂは、たとえばマクロ基地局である。
【０１０８】
無線基地局装置１０１Ａは、セルＣＡを形成し、セルＣＡ内に存在する無線端末装置２０２と無線信号を送受信することにより、無線端末装置２０２と通信することが可能である。また、無線基地局装置１０１Ｂは、セルＣＢを形成し、セルＣＢ内に存在する無線端末装置２０２と無線信号を送受信することにより、無線端末装置２０２と通信することが可能である。
【０１０９】
無線端末装置２０２は、移動端末２０２ＡまたはＭ２Ｍ端末２０２Ｂである。移動端末２０２Ａは、たとえば携帯電話などであり、ユーザの移動などに伴って広範囲に亘る移動を行う可能性の高い端末である。Ｍ２Ｍ端末２０２Ｂは、Ｍ２Ｍ（Machine to Machine）ネットワークシステムにおける無線機を搭載した機器である。
【０１１０】
ここで、Ｍ２Ｍネットワークシステムとは、通信サービスを利用したシステムであって、無線機を搭載した機器であるＭ２Ｍ端末同士が人間を介在せずに相互に情報交換するためのシステムである。たとえば、無線機を搭載した自動販売機が、通信サービスを利用して自己に内蔵されている商品の在庫状況を自動的に管理装置にレポートすることにより、当該自動販売機の制御が自動的に行われる。このようなＭ２Ｍ端末は、移動端末と比較して、広範囲に亘る移動を行うことが少なく、固定的に設置されているか、または所定のエリア内での移動に制限されている。
【０１１１】
ここでは、セルＣＡ内に、移動端末２０２ＡおよびＭ２Ｍ端末２０２Ｂａ，２０２Ｂｂ，２０２Ｂｃが存在する状況について説明する。以下、移動端末２０２ＡおよびＭ２Ｍ端末２０２Ｂａ，２０２Ｂｂ，２０２Ｂｃの各々を無線端末装置２０２とも称し、Ｍ２Ｍ端末２０２Ｂａ，２０２Ｂｂ，２０２Ｂｃの各々をＭ２Ｍ端末２０２Ｂとも称する。
【０１１２】
ここで、無線端末装置２０２が起動された際における無線端末装置２０２の通信接続先となる無線基地局装置の選択動作について、図２を用いて説明する。図２は、図１に示す通信システムにおいて、無線端末装置の起動時に無線端末装置が自己の通信接続先となる無線基地局装置を選択する際の動作の流れを示すシーケンスの一例である。
【０１１３】
図２を参照して、セルＣＡ内に存在する無線端末装置２０２が起動されると、無線端末装置２０２は、所定の周波数範囲で無線信号の周波数検索を行い、周辺セルたとえばセルＣＡを検出する（ステップＳ１）。
【０１１４】
そして、無線端末装置２０２は、検出したセルＣＡを形成する周辺基地局である無線基地局装置１０１Ａから報知される自セル情報を受信する。この自セル情報には、たとえば、無線信号の帯域幅およびセルのフィジカルＩＤなど無線基地局装置１０１Ａを特定するために用いられる情報（Master Information Block）が含まれる（ステップＳ２）。
【０１１５】
そして、無線端末装置２０２は、無線基地局装置１０１Ａから受信した「Master Information Block」等に基づいて、無線基地局装置１０１Ａを特定し、無線基地局装置１０１Ａに割り当てられているＩＤ、無線基地局装置１０１Ａから送信される無線信号の測定に用いられる情報、および、無線端末装置が通信接続先を選択するための基準を示す「Cell Selection Info」などを含む「System Information Block Type 1」、を含む自セル情報を無線基地局装置１０１Ａから受信する。また、「Cell Selection Info」には、たとえば3GPP TS 23.122で定義されている受信レベルを調整するためのオフセットなどが含まれている（ステップＳ３）。
【０１１６】
そして、無線端末装置２０２は、受信した自セル情報に基づいて、無線基地局装置１０１Ａから送信される無線信号の測定を行う（ステップＳ４）。そして、無線端末装置２０２は、受信した自セル情報において、無線端末装置の通信接続先の選択基準として、たとえば無線端末装置における無線信号の受信電力が所定値以上であることが「Cell Selection Info」に示されている場合、測定対象である無線基地局装置１０１Ａが当該基準を満たすか否かを判断する（ステップＳ５）。
【０１１７】
そして、無線端末装置２０２は、無線基地局装置１０１Ａが当該基準を満たすと判断した場合には（ステップＳ５において「Ｙｅｓ」）、無線基地局装置１０１Ａを通信接続先として選択する（ステップＳ６）。そして、無線端末装置２０２および無線基地局装置１０１Ａとの間の通信接続が確立されると、無線端末装置２０２は、無線基地局装置１０１Ａとの間で無線信号を用いた各種情報の送受信を行うことができる。
【０１１８】
一方、無線端末装置２０２は、無線基地局装置１０１Ａが当該基準を満たしていないと判断した場合には（ステップＳ５において「Ｎｏ」）、無線基地局装置１０１Ａ以外の無線基地局装置により形成される周辺セルを検出し（ステップＳ１）、無線信号の測定など、上記の動作を繰り返す。
【０１１９】
ところで、図１では１つの移動端末を示しているが、近年の移動通信サービスの加入者数の劇的な増加によりセルＣＡ内に移動端末が多数存在する場合がある。また、図１では３つのＭ２Ｍ端末を示しているが、たとえば工場など所定のエリアに多数の機器が存在することがあり、セルＣＡ内にＭ２Ｍ端末が多数存在する場合がある。これらの場合、多数の無線端末装置２０２から無線基地局装置１０１Ａへのアクセスが集中することがあり、無線基地局装置１０１Ａに多大な負荷がかかるという問題がある。
【０１２０】
そこで、本発明の第１の実施の形態および第２の実施の形態に係るＭ２Ｍ端末２０２Ｂを備える通信システム４０１は、以下のような構成を有する。以下、本発明の第１の実施の形態および第２の実施の形態に係るＭ２Ｍ端末２０２Ｂを備える通信システム４０１について説明する。
【０１２１】
＜第１の実施の形態＞
［構成および基本動作］
図３は、本発明の第１の実施の形態に係る無線端末装置を備える通信システムの構成を示す図である。
【０１２２】
図３を参照して、通信システム４０１は、図１に示す比較例の通信システム４００と同様に、たとえば３ＧＰＰで規格化されたＬＴＥ（Long Term Evolution）に従う移動体通信システムであり、無線基地局装置１０１ＭＡ，１０１ＭＢおよびコアネットワーク（上位ネットワーク）３０１を備える。
【０１２３】
無線基地局装置１０１ＭＡ，１０１ＭＢは、たとえばマクロ基地局である。無線基地局装置１０１ＭＡは、セルＭＣＡを形成し、セルＭＣＡ内に存在する無線端末装置２０２と無線信号を送受信することにより、無線端末装置２０２と通信することが可能である。また、無線基地局装置１０１ＭＢは、セルＭＣＢを形成し、セルＭＣＢ内に存在する無線端末装置２０２と無線信号を送受信することにより、無線端末装置２０２と通信することが可能である。
【０１２４】
無線端末装置２０２は、移動端末２０２ＡまたはＭ２Ｍ端末２０２Ｂａ，２０２Ｂｂ，２０２Ｂｃである。ここでは、セルＭＣＡ内に、移動端末２０２ＡおよびＭ２Ｍ端末２０２Ｂａ，２０２Ｂｂ，２０２Ｂｃが存在する状況について説明する。
【０１２５】
通信システム４０１は、さらに、セルＭＣＡ内であって、Ｍ２Ｍ端末２０２Ｂの周辺に設けられた無線基地局装置１０１ＦＡ，１０１ＦＢ，１０１ＦＣ，１０１ＦＤを備える。
【０１２６】
無線基地局装置１０１ＦＡ，１０１ＦＢ，１０１ＦＣ，１０１ＦＤは、たとえばフェムト基地局である。無線基地局装置１０１ＦＡはセルＦＣＡを形成し、無線基地局装置１０１ＦＢはセルＦＣＢを形成し、無線基地局装置１０１ＦＣはセルＦＣＣを形成し、無線基地局装置１０１ＦＤはセルＦＣＤを形成する。
【０１２７】
また、無線基地局装置１０１ＦＡ，１０１ＦＢ，１０１ＦＣ，１０１ＦＤは、それぞれＣＳＧ−ＩＤ（Closed Subscriber Group Identity）が割り当てられており、所定の加入者グループに属する無線端末装置２０２、すなわち登録されたメンバーである無線端末装置２０２に対して通信を許可するクローズドアクセスモードで動作する。
【０１２８】
ここで、ＣＳＧ−ＩＤは、無線端末装置２０２、ならびにクローズドアクセスモードおよびハイブリッドモードの無線基地局装置に割り当てられるＩＤ（identification）である。このＣＳＧ−ＩＤにより、無線端末装置２０２は、ある無線基地局装置にとって自己がメンバーであるかノンメンバーであるかを識別することができる。
【０１２９】
図４は、図３に示す無線基地局装置に割り当てられたＣＳＧ−ＩＤの一例を示す図である。
【０１３０】
図４を参照して、無線基地局装置１０１ＦＡのＣＳＧ−ＩＤは１１１１であり、無線基地局装置１０１ＦＢのＣＳＧ−ＩＤは２２２２であり、無線基地局装置１０１ＦＣのＣＳＧ−ＩＤは３３３３であり、無線基地局装置１０１ＦＤのＣＳＧ−ＩＤは４４４４である。
【０１３１】
また、Ｍ２Ｍ端末２０２Ｂは、リスト（White list）を保持し、このリストには自己に割り当てられたＣＳＧ−ＩＤが記されている。
【０１３２】
ここで、無線端末装置は、ＣＳＧ−ＩＤが記されるリストとして、たとえば「Allowed CSG list」および「Operator CSG list」を保持する。すなわち、これら「Allowed CSG list」および「Operator CSG list」により「White list」が構成されている。そして、無線端末装置は、周辺の無線基地局装置（以下、「周辺基地局」とも称する）から送信される無線信号を測定し、測定した無線信号の受信レベルなどに基づいて自己の通信接続先の無線基地局装置を自律的に選択する機能（Autonomous Search）を有しており、無線端末装置により自律的に選択された無線基地局装置のＣＳＧ−ＩＤが「Allowed CSG list」に追加される（3GPP TS 24.301）。
【０１３３】
しかしながら、この場合、無線端末装置は自己に割り当てられたＣＳＧ−ＩＤと同じＣＳＧ−ＩＤが割り当てられている特定の無線基地局装置以外の無線基地局装置を、通信接続先の無線基地局装置として自律的に選択することがあり、多数の無線端末装置が存在するエリアにおいては同一の無線基地局装置が通信接続先として選択されることによって当該無線基地局装置が輻輳状態となる虞がある。
【０１３４】
このため、本発明の第１の実施の形態に係るＭ２Ｍ端末２０２Ｂでは、「Allowed CSG list」が無効にされ、かつ、「Autonomous Search」が無効にされて、Ｍ２Ｍ端末２０２Ｂによる通信接続先の無線基地局装置の自律的な選択が行われないように設定されていることが好ましい。
【０１３５】
このように設定されたＭ２Ｍ端末２０２Ｂは、たとえばアイドル状態のＭ２Ｍ端末２０２Ｂが自己の通信接続先となる無線基地局装置を選択するためのセル再選択（Cell Reselection）を実行する際、自己の通信接続先となる無線基地局装置を自律的に選択するのではなく、自己の通信接続先の無線基地局装置であるサービング基地局から周辺基地局に関する基地局情報を受信する。そして、Ｍ２Ｍ端末２０２Ｂは、受信した基地局情報に対応する周辺基地局の中から通信接続先となる無線基地局装置を選択する。なお、より詳細な動作手順については後述する。
【０１３６】
また、「Operator CSG list」には、Ｍ２Ｍ端末２０２Ｂに割り当てられているＣＳＧ−ＩＤが記されている。このＣＳＧ−ＩＤは、たとえば通信事業者により指定されている。また、Ｍ２Ｍ端末２０２Ｂが新たに起動された場合、または、Ｍ２Ｍ端末２０２Ｂが新たなセルに移動した場合など、Ｍ２Ｍ端末２０２Ｂと新たに通信接続が確立された無線基地局装置がある場合には、Ｍ２Ｍ端末２０２Ｂは、コアネットワーク３０１におけるＭＭＥ（Mobility Management Entity）に対して端末登録処理であるアタッチ処理（Attach Procedure）を実行する。そして、このような場合、Ｍ２Ｍ端末２０２Ｂのアタッチ処理の実施時などにおいて、コアネットワーク３０１における上位装置が、当該無線基地局装置のＣＳＧ−ＩＤなどの情報をＭ２Ｍ端末２０２Ｂに通知し、Ｍ２Ｍ端末２０２Ｂは、その情報に基づき、「Operator CSG list」を更新する。
【０１３７】
図５は、図３に示す無線端末装置に割り当てられたＣＳＧ−ＩＤの一例を示す図である。
【０１３８】
図５を参照して、Ｍ２Ｍ端末２０２ＢａのＣＳＧ−ＩＤは１１１１であり、Ｍ２Ｍ端末２０２ＢｂのＣＳＧ−ＩＤは２２２２であり、Ｍ２Ｍ端末２０２ＢｃのＣＳＧ−ＩＤは３３３３である。
【０１３９】
Ｍ２Ｍ端末２０２Ｂは、起動されると、リストを参照して、自己に割り当てられているＣＳＧ−ＩＤと同じＣＳＧ−ＩＤが割り当てられている無線基地局装置を特定の無線基地局装置として判断し、当該特定の無線基地局装置に対して選択的に通信接続を確立する処理を行う。
【０１４０】
すなわち、ＣＳＧ−ＩＤが１１１１であるＭ２Ｍ端末２０２Ｂａは、同じくＣＳＧ−ＩＤが１１１１である無線基地局装置１０１ＦＡに対して通信接続を確立し、ＣＳＧ−ＩＤが２２２２であるＭ２Ｍ端末２０２Ｂｂは、同じくＣＳＧ−ＩＤが２２２２である無線基地局装置１０１ＦＢに対して通信接続を確立し、ＣＳＧ−ＩＤが３３３３であるＭ２Ｍ端末２０２Ｂｃは、同じくＣＳＧ−ＩＤが３３３３である無線基地局装置１０１ＦＣに対して通信接続を確立する。
【０１４１】
なお、Ｍ２Ｍ端末２０２Ｂは、必ずしも自己に割り当てられたＣＳＧ−ＩＤと同じＣＳＧ−ＩＤが割り当てられている無線基地局装置との間でのみ通信接続を確立するものではない。たとえば、Ｍ２Ｍ端末２０２Ｂと無線基地局装置との間で異なるＣＳＧ−ＩＤが割り当てられている場合であっても、コアネットワーク３０１における上位装置によって当該無線基地局装置との通信が許可されている加入者グループにＭ２Ｍ端末２０２Ｂが属していれば、Ｍ２Ｍ端末２０２Ｂは当該無線基地局装置との間で通信接続を確立することができる。
【０１４２】
また、Ｍ２Ｍ端末２０２Ｂには、たとえば「１１１１」および「２２２２」など、異なる複数のＣＳＧ−ＩＤが割り当てられている場合がある。このような場合、Ｍ２Ｍ端末２０２Ｂは、ＣＳＧ−ＩＤが「１１１１」である無線基地局装置およびＣＳＧ−ＩＤが「２２２２」である無線基地局装置のいずれの無線基地局装置であっても、通信接続先の無線基地局装置として選択することが可能である。
【０１４３】
また、Ｍ２Ｍ端末２０２Ｂと特定の無線基地局装置との間で通信接続が確立されると、当該特定の無線基地局装置は、自己以外の周辺の無線基地局装置により形成されるセルについての周辺セル情報、すなわち基地局情報をＭ２Ｍ端末２０２Ｂへたとえば定期的に送信する。
【０１４４】
このとき、無線基地局装置１０１ＦＡは、自己が通信を許可する加入者グループと同じ加入者グループを許可対象とする無線基地局装置により形成されるセルについての周辺セル情報をＭ２Ｍ端末２０２Ｂへ送信する。
【０１４５】
そして、Ｍ２Ｍ端末２０２Ｂは、通信接続が確立されている無線基地局装置から受信する電波の受信電力が自己の移動により小さくなった場合、または通信接続が確立されている無線基地局装置の電源がオフされた場合など、他の無線基地局装置へ通信接続先の無線基地局装置を変更する際には、取得した周辺セル情報に基づいて新たに無線基地局装置を選択する。
【０１４６】
また、再び図３を参照して、移動端末２０２Ａは、ＣＳＧ−ＩＤが割り当てられておらず、無線基地局装置１０１ＦＡ，１０１ＦＢ，１０１ＦＣ，１０１ＦＤにとってノンメンバーであるとする。この移動端末２０２Ａが起動されると、移動端末２０２Ａは、図１に示す無線端末装置２０２と同様の動作により、通信接続先となる無線基地局装置を選択する。
【０１４７】
すなわち、図２を参照して、移動端末２０２Ａは、まず、所定の周波数範囲で無線信号の周波数検索を行い、周辺セルを検出する（ステップＳ１）。そして、移動端末２０２Ａは、検出した周辺セルを形成する周辺基地局である無線基地局装置１０１ＭＡ，１０１ＭＢ，１０１ＦＡ，１０１ＦＢ，１０１ＦＣ，１０１ＦＤから報知される自セル情報を順次受信する（ステップＳ２およびステップＳ３）。
【０１４８】
そして、移動端末２０２Ａは、受信した自セル情報に基づいて、周辺基地局から送信される無線信号の測定を行う（ステップＳ４）。そして、移動端末２０２Ａは、測定対象である無線基地局装置が「Cell Selection Info」に示されている基準を満たすか否かを判断し（ステップＳ５）、当該基準を満たす場合には（ステップＳ５において「Ｙｅｓ」）測定対象である無線基地局装置を通信接続先として選択する（ステップＳ６）。
【０１４９】
具体的には、移動端末２０２Ａの通信接続先の選択基準として、移動端末２０２Ａにおける無線信号の受信電力が所定値以上であることが「Cell Selection Info」に示されている場合であって、たとえば移動端末２０２Ａにおける無線基地局装置１０１ＭＡからの受信電力が所定値以上である場合には、移動端末２０２Ａは、無線基地局装置１０１ＭＡを通信接続先として選択して、この無線基地局装置１０１ＭＡとの間の通信接続を確立させる。
【０１５０】
また、たとえば移動端末２０２ＡがセルＦＣＡへ移動したことにより、無線基地局装置１０１ＦＡにより送信される無線信号の移動端末２０２Ａにおける受信電力が所定値以上となっても、無線基地局装置１０１ＦＡがクローズドアクセスモードで動作している場合がある。この場合、移動端末２０２Ａは無線基地局装置１０１ＦＡにとってノンメンバーであるため、移動端末２０２Ａと無線基地局装置１０１ＦＡとの間の通信接続の確立は行われず、移動端末２０２Ａは、他の無線基地局装置を通信接続先として選択する。
【０１５１】
［Ｍ２Ｍ端末の構成］
図６は、本発明の第１の実施の形態に係る無線端末装置の構成を示す図である。
【０１５２】
図６を参照して、本発明の第１の実施の形態に係るＭ２Ｍ端末２０２Ｂは、無線機２１と、信号処理部２２とを含む。無線機２１は、アンテナ３１と、サーキュレータ３２と、受信部３３と、送信部３４とを有する。信号処理部２２は、情報取得部３６と、判断部３７と、通信制御部３８と、記憶部３９とを有する。
【０１５３】
サーキュレータ３２は、アンテナ３１において受信された無線基地局装置１０１ＭＡ，１０１ＭＢ，１０１ＦＡ，１０１ＦＢ，１０１ＦＣ，１０１ＦＤからの無線信号を受信部３３へ出力し、また、送信部３４から受けた無線信号をアンテナ３１へ出力する。
【０１５４】
受信部３３は、サーキュレータ３２から受けた無線信号をベースバンド信号またはＩＦ（Intermediate Frequency）信号に周波数変換し、この周波数変換した信号をデジタル信号に変換して信号処理部２２へ出力する。送信部３４は、通信制御部３８から受けたデジタル信号をアナログ信号に変換し、変換したアナログ信号を無線信号に周波数変換してサーキュレータ３２へ出力する。
【０１５５】
信号処理部２２の情報取得部３６は、無線基地局装置１０１ＭＡ，１０１ＭＢ，１０１ＦＡ，１０１ＦＢ，１０１ＦＣ，１０１ＦＤから報知される自セル情報のデジタル信号を取得し、取得したデジタル信号に対して、ＯＦＤＭ（Orthogonal Frequency Division Multiplex）方式におけるＦＦＴ（Fast Fourier Transform）等の各種信号処理を行い、判断部３７に出力する。情報取得部３６は、たとえば、無線信号の帯域幅およびセルのフィジカルＩＤなど無線基地局装置を特定するために用いられる情報（Master Information Block）、ならびに各無線基地局装置に割り当てられているＣＳＧ−ＩＤなどの情報（System Information Block Type 1）を含む自セル情報を、基地局情報として取得する。
【０１５６】
記憶部３９は、自己のＭ２Ｍ端末２０２Ｂに割り当てられたＣＳＧ−ＩＤ、および、過去に自己のＭ２Ｍ端末２０２Ｂと通信接続が確立された無線基地局装置のＣＳＧ−ＩＤが記されるリスト、すなわち「Operator CSG list」を１または複数保持する（3GPP TS 24.301）。
【０１５７】
情報取得部３６は、記憶部３９の保持するリストに、過去に自己のＭ２Ｍ端末２０２Ｂと通信接続が確立された無線基地局装置のＩＤ等が記されている場合には、無線基地局装置から報知される自セル情報のうち、過去に通信接続が確立された無線基地局装置に関する自セル情報を優先的に取得する。
【０１５８】
判断部３７は、情報取得部３６から自セル情報を受けて、当該自セル情報に対応する無線基地局装置がクローズドアクセスモードまたはハイブリッドモードで動作するか否か、すなわちＣＳＧ−ＩＤが割り当てられているか否かを判断する。
【０１５９】
そして、判断部３７は、当該対応する無線基地局装置がクローズドアクセスモードまたはハイブリッドモードで動作する場合には、受信した自セル情報に基づいて、当該対応する無線基地局装置に割り当てられているＣＳＧ−ＩＤが自己のＭ２Ｍ端末２０２Ｂに割り当てられているＣＳＧ−ＩＤと同じであるか否かを判断する。
【０１６０】
そして、判断部３７は、当該対応する無線基地局装置に割り当てられているＣＳＧ−ＩＤと、自己のＭ２Ｍ端末２０２Ｂに割り当てられているＣＳＧ−ＩＤとが同じである場合には、当該対応する無線基地局装置に対して通信接続確立のための処理を行うことを決定する。そして、判断部３７は、決定内容を通信制御部３８に出力する。
【０１６１】
一方、判断部３７は、当該対応する無線基地局装置がクローズドアクセスモードまたはハイブリッドモードで動作しない場合、または、当該対応する無線基地局装置に割り当てられているＣＳＧ−ＩＤと、自己のＭ２Ｍ端末２０２Ｂに割り当てられているＣＳＧ−ＩＤとが異なる場合には、他の無線基地局装置に関する自セル情報を新たに取得することを決定する。そして、判断部３７は、決定内容を情報取得部３６に出力する。
【０１６２】
通信制御部３８は、特定の無線基地局装置に対する通信接続確立のための処理を行うことを示す決定内容を判断部３７から受けて、無線機２１を介して種々の情報を当該特定の無線基地局装置との間で送受信することにより、当該特定の無線基地局装置との通信接続を確立する。
【０１６３】
図７は、本発明の第１の実施の形態に係る無線端末装置を備える通信システムにおいて行われる通信接続確立のための処理と、通信プロトコルにおける各レイヤとの対応を示す図である。
【０１６４】
図７を参照して、通信システム４０１におけるＭ２Ｍ端末２０２ＢおよびＭＭＥは、たとえば、ＮＡＳ（Non-Access Stratum）レイヤ、ＲＲＣ（Radio Resource Control）レイヤ、ＲＬＣ（Radio Link Control）レイヤ、ＭＡＣ（Media Access Control）レイヤおよびＰＨＹレイヤを有する通信プロトコルに従って動作する。ここでは、ＮＡＳレイヤが最上位レイヤであり、ＰＨＹレイヤが最下位レイヤである。
【０１６５】
また、無線基地局装置１０１ＦＡは、ＲＲＣレイヤ、ＲＬＣレイヤ、ＭＡＣレイヤおよびＰＨＹレイヤを有する通信プロトコルに従って動作する。ここでは、ＲＲＣレイヤが最上位レイヤであり、ＰＨＹレイヤが最下位レイヤである。
【０１６６】
たとえば、Ｍ２Ｍ端末２０２Ｂａと無線基地局装置１０１ＦＡとの間における通信接続確立のための処理が行われる場合、Ｍ２Ｍ端末２０２Ｂａの通信制御部３８は、ＲＲＣレイヤに従い、無線基地局装置１０１ＦＡに対してキャンプ処理実行のためのキャンプ要求を送信する。そして、Ｍ２Ｍ端末２０２Ｂａと無線基地局装置１０１ＦＡとの間で、ＲＲＣレイヤに従った要求および応答等のメッセージのやり取りが行われ、Ｍ２Ｍ端末２０２Ｂａと無線基地局装置１０１ＦＡとの間で通信接続が確立される。
【０１６７】
また、上述のとおり、Ｍ２Ｍ端末２０２Ｂａが新たに起動された場合、または、Ｍ２Ｍ端末２０２Ｂａが新たなセルに移動した場合などには、Ｍ２Ｍ端末２０２Ｂａは、コアネットワーク３０１におけるＭＭＥに対して端末登録処理であるアタッチ処理を実行する。このとき、Ｍ２Ｍ端末２０２Ｂａの通信制御部３８は、ＮＡＳレイヤに従い、ＭＭＥに対してアタッチ処理実行のためのアタッチ要求を送信する。そして、Ｍ２Ｍ端末２０２ＢａとＭＭＥとの間で、ＮＡＳレイヤに従った要求および応答等のメッセージのやり取りが行われ、Ｍ２Ｍ端末２０２Ｂａとコアネットワーク３０１との間でアタッチ処理が実行される。
【０１６８】
そして、上述のように、Ｍ２Ｍ端末２０２Ｂと無線基地局装置との間で通信接続が確立された場合には、アタッチ処理の実施時などにおいてコアネットワーク３０１における上位装置が、当該無線基地局装置に関する情報をＭ２Ｍ端末２０２Ｂに通知し、Ｍ２Ｍ端末２０２Ｂは、その情報に基づき、当該無線基地局装置のＩＤ等を記憶部３９の保持するリストに追加する。
【０１６９】
［動作］
次に、本発明の第１の実施の形態に係るＭ２Ｍ端末２０２Ｂが自己の通信接続先となる無線基地局装置を選択する際の動作について、「起動時における通信接続先の選択動作（その１）」、「起動時における通信接続先の選択動作（その２）」および「通信接続先の変更時における通信接続先の選択動作」に分けて説明する。
【０１７０】
なお、本発明の第１の実施の形態に係るＭ２Ｍ端末２０２Ｂおよび無線基地局装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【０１７１】
（ａ）起動時における通信接続先の選択動作（その１）
図８は、本発明の第１の実施の形態に係る無線端末装置を備える通信システムにおいて、無線端末装置の起動時に無線端末装置が自己の通信接続先となる無線基地局装置を選択する際の動作の流れを示すシーケンスの一例である。
【０１７２】
図８を参照して、まず、Ｍ２Ｍ端末２０２Ｂが起動されると、Ｍ２Ｍ端末２０２Ｂの情報取得部３６は、過去に自己のＭ２Ｍ端末２０２Ｂとの間で通信接続が確立された無線基地局装置のＩＤ等が記されたリストが、記憶部３９に保持されているか否かを判断する（ステップＳ１１）。
【０１７３】
そして、情報取得部３６は、当該リストが保持されている場合には（ステップＳ１１において「Ｙｅｓ」）、当該リストに記されたＩＤ等に対応する無線基地局装置の送信周波数を検索する。たとえば、リストに無線基地局装置１０１ＦＡのＩＤが記されている場合、情報取得部３６は、無線基地局装置１０１ＦＡの送信周波数の検索を行う。なお、同一のリストに複数の無線基地局装置のＩＤ等が記されている場合には、情報取得部３６は、これら複数の無線基地局装置について、それぞれ送信周波数の検索を行う（ステップＳ１２）。
【０１７４】
次に、情報取得部３６は、当該リスト以外の他のリスト、すなわち未だ送信周波数検索の検索対象とされていない無線基地局装置のＩＤ等が記されたリストが記憶部３９に保持されているか否かを判断する（ステップＳ１３）。
【０１７５】
そして、記憶部３９に他のリストが保持されている場合には（ステップＳ１３において「Ｙｅｓ」）、情報取得部３６は、当該他のリストに記されたＩＤ等に対応する無線基地局装置の送信周波数を検索する（ステップＳ１２）。
【０１７６】
一方、他のリストが記憶部３９に保持されていない場合、すなわち、記憶部３９の保持するリストに記された全てのＩＤ等に対応する無線基地局装置について、すでに送信周波数検索が行われた場合（ステップＳ１３において「Ｎｏ」）、情報取得部３６は、無線基地局装置１０１ＭＡ，１０１ＭＢ，１０１ＦＡ，１０１ＦＢ，１０１ＦＣ，１０１ＦＤから報知される自セル情報のうち、検索した送信周波数の無線信号を受信することにより、リストに記されているＩＤ等に対応する無線基地局装置から報知される自セル情報を優先的に受信する（ステップＳ１４）。ここでは、Ｍ２Ｍ端末２０２Ｂは、無線基地局装置１０１ＦＡから報知される自セル情報を優先的に受信すると仮定する。この自セル情報には、無線信号の帯域幅またはセルのフィジカルＩＤなど無線基地局装置１０１ＦＡを特定するために用いられる情報（Master Information Block）が含まれる。
【０１７７】
次に、情報取得部３６は、受信した自セル情報に基づいて、無線基地局装置１０１ＦＡを特定し、特定した無線基地局装置１０１ＦＡから、無線基地局装置１０１ＦＡに割り当てられているＣＳＧ−ＩＤなどの情報（System Information Block Type 1）を含む自セル情報を受信する（ステップＳ１５）。
【０１７８】
次に、判断部３７は、情報取得部３６により受信された自セル情報に基づいて、当該自セル情報に対応する無線基地局装置１０１ＦＡがクローズドアクセスモードまたはハイブリッドモードで動作するか否か、すなわち「System Information Block Type 1」におけるＩＥ（Information element）である「csg-Indication」が「true」であるか否かを判断する（ステップＳ１６）。
【０１７９】
そして、無線基地局装置１０１ＦＡがクローズドアクセスモードまたはハイブリッドモードで動作する場合、すなわち「csg-Indication」が「true」である場合には（ステップＳ１６において「Ｙｅｓ」）、判断部３７は、受信した自セル情報に基づいて、無線基地局装置１０１ＦＡに割り当てられているＣＳＧ−ＩＤが自己のＭ２Ｍ端末２０２Ｂに割り当てられているＣＳＧ−ＩＤと同じであるか否かを判断する（ステップＳ１７）。
【０１８０】
そして、無線基地局装置１０１ＦＡに割り当てられているＣＳＧ−ＩＤと、自己のＭ２Ｍ端末２０２Ｂに割り当てられているＣＳＧ−ＩＤとが同じである場合には（ステップＳ１７において「Ｙｅｓ」）、判断部３７は、無線基地局装置１０１ＦＡに対して通信接続確立のための処理を行うことを決定し、決定内容を通信制御部３８に出力する。そして、通信制御部３８は、当該決定内容を受けて、自己のＭ２Ｍ端末２０２Ｂと無線基地局装置１０１ＦＡとの間の通信接続確立のための処理を実行する（ステップＳ１８）。
【０１８１】
一方、受信された自セル情報に対応する無線基地局装置がクローズドアクセスモードまたはハイブリッドモードで動作しない場合、すなわち「csg-Indication」が「true」ではない場合（ステップＳ１６において「Ｎｏ」）、または、「csg-Indication」が「true」であるが（ステップＳ１６において「Ｙｅｓ」）、当該無線基地局装置に割り当てられているＣＳＧ−ＩＤとＭ２Ｍ端末２０２Ｂに割り当てられているＣＳＧ−ＩＤとが異なる場合（ステップＳ１７において「Ｎｏ」）、判断部３７は、検索された送信周波数に対応する自セル情報のうち、受信していない自セル情報があるか否かを判断する（ステップＳ１９）。
【０１８２】
そして、判断部３７は、受信していない自セル情報がある場合には（ステップＳ１９において「Ｙｅｓ」）、当該自セル情報を新たに受信することを決定し、決定内容を情報取得部３６に出力する。そして、情報取得部３６は、当該決定内容を受けて、当該自セル情報を新たに受信して（ステップＳ１４およびステップＳ１５）、判断部３７は、情報取得部３６により新たに受信された自セル情報に対応する無線基地局装置がクローズドアクセスモードまたはハイブリッドモードで動作するか否かを判断する（ステップＳ１６）。
【０１８３】
一方、受信していない自セル情報がない場合には（ステップＳ１９において「Ｎｏ」）、情報取得部３６は、リストに記されていない無線基地局装置について送信周波数の検索を行う（ステップＳ２０）。
【０１８４】
すなわち、たとえば、無線基地局装置１０１ＭＡ，１０１ＭＢ，１０１ＦＡ，１０１ＦＢ，１０１ＦＣ，１０１ＦＤのＩＤ等がいずれもリストに記されていない場合、情報取得部３６は、所定の周波数範囲で無線信号の周波数検索を行い、周辺セルを検出する。そして、情報取得部３６は、検出した周辺セルを形成する周辺基地局から報知される自セル情報を受信する。そして、判断部３７は、受信した自セル情報に基づいて、周辺基地局から送信される無線信号の測定を行い、「Cell Selection Info」に示されている基準に従って通信接続先の無線基地局装置を選択する。
【０１８５】
また、情報取得部３６は、無線基地局装置のＩＤ等が記されたリスト自体が記憶部３９に保持されていない場合にも（ステップＳ１１において「Ｎｏ」）、上記と同様に、リストに記されていない無線基地局装置について送信周波数の検索を行う（ステップＳ２０）。
【０１８６】
なお、たとえば、Ｍ２Ｍ端末２０２Ｂの電源がオフされた後に再び起動された場合、上述のステップＳ１１からステップＳ２０に示す選択動作が再び行われる。このとき、クローズドアクセスモードまたはハイブリッドモードで動作しない無線基地局装置、すなわちステップＳ１６において「Ｎｏ」と判断される無線基地局装置、または、ＣＳＧ−ＩＤがＭ２Ｍ端末２０２Ｂに割り当てられているＣＳＧ−ＩＤと一致しない無線基地局装置、すなわちステップＳ１７において「Ｎｏ」と判断される無線基地局装置であっても、Ｍ２Ｍ端末２０２Ｂの保持するリストに記されている無線基地局装置である場合には、この無線基地局装置に関する自セル情報が取得されて、Ｍ２Ｍ端末２０２Ｂにより「csg-Indication」が「true」であるか否かの判断（ステップＳ１６）およびＣＳＧ−ＩＤが一致するか否かの判断（ステップＳ１７）が再び行われてしまう。
【０１８７】
そこで、本発明に係るＭ２Ｍ端末２０２Ｂは、たとえば「csg-Indication」が「true」であるか否かの判断（ステップＳ１６）およびＣＳＧ−ＩＤが一致するか否かの判断（ステップＳ１７）において「Ｎｏ」と判断された無線基地局装置については、一定期間、通信接続先の無線基地局装置の選択動作の対象から除外するように設定し、無駄な選択動作が繰り返されることを防ぐように構成されることが好ましい。
【０１８８】
（ｂ）起動時における通信接続先の選択動作（その２）
上述した「（ａ）起動時における通信接続先の選択動作（その１）」では、情報取得部３６が、リストに記されている１または複数の無線基地局装置について送信周波数の検索を行い、検索結果を用いてリストの示す無線基地局装置が通信接続先としての条件を満たすか否かを判断する場合について説明した。これに対して「（ｂ）起動時における通信接続先の選択動作（その２）」では、リストに記されている無線基地局装置について、１つずつ送信周波数の検索および無線基地局装置が通信接続先としての条件を満たすか否かの判断を行う場合について説明する。
【０１８９】
図９は、本発明の第１の実施の形態に係る無線端末装置を備える通信システムにおいて、無線端末装置の起動時に無線端末装置が自己の通信接続先となる無線基地局装置を選択する際の動作の流れを示すシーケンスの一例である。
【０１９０】
図９を参照して、まず、Ｍ２Ｍ端末２０２Ｂが起動されると、Ｍ２Ｍ端末２０２Ｂの情報取得部３６は、過去に自己のＭ２Ｍ端末２０２Ｂとの間で通信接続が確立された無線基地局装置のＩＤ等が記されたリストが、記憶部３９に保持されているか否かを判断する（ステップＳ２１）。
【０１９１】
そして、情報取得部３６は、当該リストが保持されている場合には（ステップＳ２１において「Ｙｅｓ」）、当該リストに記された１または複数のＩＤ等に対応する無線基地局装置のうち１つの無線基地局装置について、送信周波数の検索を行う。ここでは、情報取得部３６は、たとえば無線基地局装置１０１ＦＡについて送信周波数の検索を行うと仮定する（ステップＳ２２）。
【０１９２】
次に、情報取得部３６は、無線基地局装置１０１ＭＡ，１０１ＭＢ，１０１ＦＡ，１０１ＦＢ，１０１ＦＣ，１０１ＦＤから報知される自セル情報のうち、検索した送信周波数の無線信号を受信することにより、リストに記されているＩＤ等に対応する無線基地局装置１０１ＦＡから報知される自セル情報であって、「Master Information Block」が含まれる自セル情報を優先的に受信する（ステップＳ２３）。
【０１９３】
次に、情報取得部３６は、受信した自セル情報に基づいて、無線基地局装置１０１ＦＡを特定し、特定した無線基地局装置１０１ＦＡから、無線基地局装置１０１ＦＡに割り当てられているＣＳＧ−ＩＤなどの情報（System Information Block Type 1）を含む自セル情報を受信する（ステップＳ２４）。
【０１９４】
次に、判断部３７は、情報取得部３６により受信された自セル情報に基づいて、当該自セル情報に対応する無線基地局装置１０１ＦＡがクローズドアクセスモードまたはハイブリッドモードで動作するか否か、すなわち「System Information Block Type 1」におけるＩＥ（Information element）である「csg-Indication」が「true」であるか否かを判断する（ステップＳ２５）。
【０１９５】
そして、無線基地局装置１０１ＦＡがクローズドアクセスモードまたはハイブリッドモードで動作する場合、すなわち「csg-Indication」が「true」である場合には（ステップＳ２５において「Ｙｅｓ」）、判断部３７は、受信した自セル情報に基づいて、無線基地局装置１０１ＦＡに割り当てられているＣＳＧ−ＩＤが自己のＭ２Ｍ端末２０２Ｂに割り当てられているＣＳＧ−ＩＤと同じであるか否かを判断する（ステップＳ２６）。
【０１９６】
そして、無線基地局装置１０１ＦＡに割り当てられているＣＳＧ−ＩＤと、自己のＭ２Ｍ端末２０２Ｂに割り当てられているＣＳＧ−ＩＤとが同じである場合には（ステップＳ２６において「Ｙｅｓ」）、判断部３７は、無線基地局装置１０１ＦＡに対して通信接続確立のための処理を行うことを決定し、決定内容を通信制御部３８に出力する。そして、通信制御部３８は、当該決定内容を受けて、自己のＭ２Ｍ端末２０２Ｂと無線基地局装置１０１ＦＡとの間の通信接続確立のための処理を実行する（ステップＳ２７）。
【０１９７】
一方、受信された自セル情報に対応する無線基地局装置がクローズドアクセスモードまたはハイブリッドモードで動作しない場合、すなわち「csg-Indication」が「true」ではない場合には（ステップＳ２５において「Ｎｏ」）、または、「csg-Indication」が「true」であるが（ステップＳ２５において「Ｙｅｓ」）、当該無線基地局装置に割り当てられているＣＳＧ−ＩＤとＭ２Ｍ端末２０２Ｂに割り当てられているＣＳＧ−ＩＤとが異なる場合（ステップＳ２６において「Ｎｏ」）、判断部３７は、当該リストに記されているＩＤ等に対応する無線基地局装置から報知される自セル情報のうち、受信していない自セル情報があるか否かを判断する（ステップＳ２８）。
【０１９８】
そして、受信していない自セル情報がある場合には（ステップＳ２８において「Ｙｅｓ」）、この自セル情報を新たに受信することを決定し、決定内容を情報取得部３６に出力する。そして、情報取得部３６は、当該決定内容を受けて、リストの示す無線基地局装置のうち、未だ送信周波数の検索を行っていない無線基地局装置について送信周波数の検索を行う（ステップＳ２２）。そして、情報取得部３６は、検索した送信周波数の無線信号を受信することにより、リストの示す無線基地局装置から報知される自セル情報を受信するなど、上記の動作を繰り返す。
【０１９９】
一方、受信していない自セル情報がない場合には（ステップＳ２８において「Ｎｏ」）、情報取得部３６は、当該リスト以外の他のリスト、すなわち未だ送信周波数検索の検索対象とされていない無線基地局装置のＩＤ等が記されたリストが記憶部３９に保持されているか否かを判断する（ステップＳ２９）。
【０２００】
そして、記憶部３９に他のリストが保持されている場合には（ステップＳ２９において「Ｙｅｓ」）、情報取得部３６は、当該他のリストに記されたＩＤ等に対応する無線基地局装置の送信周波数を検索する（ステップＳ２２）。
【０２０１】
一方、他のリストが記憶部３９に保持されていない場合、すなわち、記憶部３９の保持するリストに記された全てのＩＤ等に対応する無線基地局装置について、すでに送信周波数検索が行われた場合（ステップＳ２９において「Ｎｏ」）、情報取得部３６は、リストに記されていない無線基地局装置について送信周波数の検索を行う（ステップＳ３０）。
【０２０２】
また、情報取得部３６は、無線基地局装置のＩＤ等が記されたリスト自体が記憶部３９に保持されていない場合にも（ステップＳ２１において「Ｎｏ」）、上記と同様に、リストに記されていない無線基地局装置について送信周波数の検索を行う（ステップＳ３０）。
【０２０３】
（ｃ）通信接続先の変更時における通信接続先の選択動作
次に、Ｍ２Ｍ端末２０２Ｂが、自己との間で通信接続が確立されていた無線基地局装置から他の無線基地局装置へ通信接続先を変更する場合における通信接続先の選択動作について説明する。ここでは、Ｍ２Ｍ端末２０２Ｂａが、無線基地局装置１０１ＦＡから無線基地局装置１０１ＦＢへ通信接続先を変更するセル再選択動作を実行する状況について説明する。
【０２０４】
図１０は、本発明の第１の実施の形態に係る無線端末装置のセル再選択動作のシーケンスの一例を示す図である。
【０２０５】
ここでは、たとえば、Ｍ２Ｍ端末２０２Ｂａの移動により、Ｍ２Ｍ端末２０２Ｂａと通信接続が確立されている無線基地局装置から送信される無線信号のＭ２Ｍ端末２０２Ｂａにおける受信電力が小さくなり、Ｍ２Ｍ端末２０２Ｂａによるセル再選択動作が行われる場合を想定する。また、Ｍ２Ｍ端末２０２Ｂａは、「Autonomous Search」が無効にされていると仮定する。
【０２０６】
図１０を参照して、まず、Ｍ２Ｍ端末２０２Ｂａは、無線基地局装置１０１ＦＡを新たに通信相手として選択することを決定すると、無線基地局装置１０１ＦＡから送信される報知情報を受信し（ステップＳ３１）、受信した報知情報の内容を保存する（ステップＳ３２）。この報知情報に、周辺セル情報、およびセル再選択を行なうための情報が含まれる。
【０２０７】
次に、Ｍ２Ｍ端末２０２Ｂａは、コアネットワーク３０１におけるＭＭＥ等に対して新たなセルＦＣＡへ移動したことを通知するため、端末登録処理であるアタッチ処理（Attach Procedure）を実行する（ステップＳ３３）。
【０２０８】
次に、Ｍ２Ｍ端末２０２Ｂａは、サービング基地局である無線基地局装置１０１ＦＡから送信される無線信号の受信電力の測定を開始する。すなわち、Ｍ２Ｍ端末２０２Ｂａは、サービングセルであるセルＦＣＡの受信電力の測定を行なう。たとえば、Ｍ２Ｍ端末２０２Ｂａは、当該無線信号に含まれるパイロット信号を用いて受信電力を測定する（ステップＳ３４）。
【０２０９】
次に、Ｍ２Ｍ端末２０２Ｂａは、サービングセルの評価値であるＳ値（Cell Selection Criterion S）を算出し、Ｓ値判定を行なう（ステップＳ３５）。
【０２１０】
Ｍ２Ｍ端末２０２Ｂａは、サービングセルのＳ値が所定条件を満たす場合には（ステップＳ３５において「Ｙｅｓ」）、報知情報の示す周波数において、報知情報の示す周辺基地局から送信される無線信号の受信電力の測定を開始する。
【０２１１】
ここで、無線基地局装置１０１ＦＡは、自己が通信を許可する加入者グループと同じ加入者グループを許可対象とする無線基地局装置、すなわち自己に割り当てられているＣＳＧ−ＩＤと同じＣＳＧ−ＩＤが割り当てられている周辺基地局を検索する。
【０２１２】
たとえば、無線基地局装置１０１ＦＡは、周辺の無線基地局装置に割り当てられているＣＳＧ−ＩＤを予め記憶し、自己に割り当てられているＣＳＧ−ＩＤと同じＣＳＧ−ＩＤが割り当てられている無線基地局装置を検索する。なお、ここでは、無線基地局装置１０１ＦＡに割り当てられているＣＳＧ−ＩＤが１１１１であり、無線基地局装置１０１ＦＢおよび無線基地局装置１０１ＦＣに割り当てられているＣＳＧ−ＩＤもまた１１１１であるとする。
【０２１３】
そして、無線基地局装置１０１ＦＡは、自己と通信中のＭ２Ｍ端末２０２Ｂａの測定対象となる周波数と、測定セルすなわち当該周波数の無線信号を送信する周辺基地局を設定して、設定内容を周辺セル情報すなわち基地局情報として報知情報に含めてＭ２Ｍ端末２０２Ｂへ送信する。ここでは、無線基地局装置１０１ＦＡは、検索した無線基地局装置１０１ＦＢ，１０１ＦＣを測定対象の無線基地局装置として設定する。
【０２１４】
Ｍ２Ｍ端末２０２Ｂは、「Autonomous Search」が無効にされていることにより、通信接続先の無線基地局装置の選択を自律的に行うことなく、報知情報の示す周辺基地局の中からセル再選択を行う。すなわち、Ｍ２Ｍ端末２０２Ｂａは、サービングセルに加えて、無線基地局装置１０１ＦＡにより検索された周辺セルであるセルＦＣＢ，ＦＣＣの受信電力の測定を行なう。たとえば、Ｍ２Ｍ端末２０２Ｂａは、当該無線信号に含まれるパイロット信号を用いて受信電力を測定する（ステップＳ３６）。
【０２１５】
次に、Ｍ２Ｍ端末２０２Ｂａは、周辺セルの評価値であるＳ値を算出し、Ｓ値判定を行なう（ステップＳ３７）。
【０２１６】
Ｍ２Ｍ端末２０２Ｂａは、周辺セルのＳ値が所定条件を満たす場合には（ステップＳ３７において「Ｙｅｓ」）、サービングセルおよび周辺セルの測定結果を用いて、サービングセルおよび周辺セルをたとえば受信電力品質の良い順に順位付けする（ステップＳ３８）。
【０２１７】
次に、Ｍ２Ｍ端末２０２Ｂａは、順位付けの結果、最上位のセルがサービングセルでは無かった場合には（ステップＳ３９において「Ｙｅｓ」）、当該最上位セルへのセル再選択を行なう。すなわち、Ｍ２Ｍ端末２０２Ｂａは、最上位の周辺セルに対応する無線基地局装置、たとえば無線基地局装置１０１ＦＢから報知される自セル情報を受信し（ステップＳ４０）、受信した自セル情報の内容を保存する（ステップＳ４１）。
【０２１８】
次に、Ｍ２Ｍ端末２０２Ｂａは、受信した自セル情報に基づいて、無線基地局装置１０１ＦＢがクローズドアクセスモードまたはハイブリッドモードで動作するか否か、すなわち「System Information Block Type 1」におけるＩＥ（Information element）である「csg-Indication」が「true」であるか否かを判断する（ステップＳ４２）。
【０２１９】
そして、Ｍ２Ｍ端末２０２Ｂａは、無線基地局装置１０１ＦＢがクローズドアクセスモードまたはハイブリッドモードで動作する場合、すなわち「csg-Indication」が「true」である場合には（ステップＳ４２において「Ｙｅｓ」）、受信した自セル情報に基づいて、無線基地局装置１０１ＦＢに割り当てられているＣＳＧ−ＩＤが自己に割り当てられているＣＳＧ−ＩＤと同じであるか否かを判断する（ステップＳ４３）。
【０２２０】
そして、Ｍ２Ｍ端末２０２Ｂａは、無線基地局装置１０１ＦＢに割り当てられているＣＳＧ−ＩＤと、自己に割り当てられているＣＳＧ−ＩＤとが同じである場合には（ステップＳ４３において「Ｙｅｓ」）、無線基地局装置１０１ＦＢを通信接続先として選択する。
【０２２１】
次に、無線端末装置２０２は、コアネットワーク３０１におけるＭＭＥ等に対して新たなセルＦＣＢへ移動したことを通知するため、端末登録処理であるアタッチ処理を実行する（ステップＳ４４）。
【０２２２】
なお、上述した本発明の第１の実施の形態に係るＭ２Ｍ端末２０２Ｂを備える通信システム４０１において、無線基地局装置１０１ＦＡ，１０１ＦＢ，１０１ＦＣ，１０１ＦＤは、クローズドアクセスモードで動作する場合について説明した。しかしながら、無線基地局装置１０１ＦＡ，１０１ＦＢ，１０１ＦＣ，１０１ＦＤは、メンバーである無線端末装置２０２およびノンメンバーである無線端末装置２０２の両方に対して通信を許可するハイブリッドモードで動作するように設定されることも可能である。
【０２２３】
この場合、ＣＳＧ−ＩＤが１１１１であるＭ２Ｍ端末２０２Ｂａは、上述した本発明の第１の実施の形態と同様に、ＣＳＧ−ＩＤが１１１１である無線基地局装置１０１ＦＡとの間で通信接続を確立するための処理を行う。また、たとえば移動端末２０２ＡがセルＦＣＡ内に移動した場合には、無線基地局装置１０１ＦＡにとってノンメンバーである移動端末２０２Ａであっても、この無線基地局装置１０１ＦＡとの間で通信接続を確立するための処理を行うことができる。
【０２２４】
また、上述した本発明の第１の実施の形態に係る通信システム４０１において、ＣＳＧ−ＩＤが割り当てられている無線基地局装置１０１ＦＡ，１０１ＦＢ，１０１ＦＣ，１０１ＦＤがフェムト基地局である状況について説明したが、これらの無線基地局装置１０１ＦＡ，１０１ＦＢ，１０１ＦＣ，１０１ＦＤは、たとえばマクロ基地局であってもよい。
【０２２５】
ところで、近年の移動通信サービスの加入者数の劇的な増加により無線端末装置が特定のエリアに多数存在する場合がある。また、上述したＭ２Ｍネットワークにおいては、無線機を搭載した機器は広範囲に亘って移動することが少ないため、たとえば工場内など多数の機器が存在するエリアでは常時多数の無線端末装置が特定のエリアに存在する。これらの場合、多数の無線端末装置または無線機を搭載した機器から当該エリアを形成する無線基地局装置へのアクセスが集中することがあり、当該無線基地局装置に多大な負荷がかかるという問題がある。
【０２２６】
これに対して、本発明の第１の実施の形態に係るＭ２Ｍ端末２０２Ｂでは、判断部３７が、無線基地局装置が特定の無線基地局装置であるか否かを判断する。また、通信制御部３８が、判断部３７により特定の無線基地局装置であると判断された無線基地局装置に対して選択的に通信接続を確立する処理を行う。
【０２２７】
このように、Ｍ２Ｍ端末２０２Ｂの通信接続先を特定の無線基地局装置に制限することにより、公衆移動通信網等の他の無線基地局装置によるネットワークに大きな影響を与えることなく、当該複数のＭ２Ｍ端末２０２Ｂおよび特定の無線基地局装置によるネットワークを柔軟に構築することができる。
【０２２８】
また、上記のように、制限されたネットワーク内において当該Ｍ２Ｍ端末２０２Ｂと特定の無線基地局装置との間の通信接続が確立されるため、多数のＭ２Ｍ端末２０２Ｂが特定のエリアに存在する場合であっても、上記特定の無線基地局装置以外の無線基地局装置が輻輳状態となることを防ぎ、この無線基地局装置に係る負荷を軽減させることができる。このため、携帯電話などの移動端末２０２Ａが、当該特定のエリア内に移動してきた場合であっても、この移動端末２０２Ａにおける通信が切断されることを防ぎ、通信の安定化を図ることができる。
【０２２９】
また、本発明の第１の実施の形態において、無線基地局装置は、所定の加入者グループに属するＭ２Ｍ端末２０２Ｂに対して自己との通信を許可する動作を行うことが可能であり、Ｍ２Ｍ端末２０２Ｂの判断部３７は、自己のＭ２Ｍ端末２０２Ｂの属する加入者グループを許可対象とする無線基地局装置を、特定の無線基地局装置であると判断する。
【０２３０】
このような構成により、Ｍ２Ｍ端末２０２Ｂと、当該Ｍ２Ｍ端末２０２Ｂの通信接続先として適切な無線基地局装置とを予め容易に対応付けておくことができる。
【０２３１】
また、本発明の第１の実施の形態に係るＭ２Ｍ端末２０２Ｂでは、記憶部３９が、自己のＭ２Ｍ端末２０２Ｂとの間で過去に通信接続が確立された無線基地局装置を記憶する。また、判断部３７が、記憶部３９に記憶されている無線基地局装置について、特定の無線基地局装置であるか否かの判断を優先的に行う。
【０２３２】
このような構成により、Ｍ２Ｍ端末２０２Ｂの通信接続先となる可能性の高い無線基地局装置から優先的に特定の無線基地局装置であるか否かの判断が行われるため、Ｍ２Ｍ端末２０２Ｂによる上記判断のための処理を軽減させることができる。
【０２３３】
また、本発明の第１の実施の形態に係るＭ２Ｍ端末２０２Ｂでは、情報取得部３６が、自己のＭ２Ｍ端末２０２Ｂの通信接続先の無線基地局装置であるサービング基地局から、サービング基地局以外の無線基地局装置に関する基地局情報を取得する。また、判断部３７が、自己のＭ２Ｍ端末２０２Ｂがサービング基地局から他の無線基地局装置へ通信接続先を変更する際、情報取得部３６により取得された基地局情報に対応する無線基地局装置の中から通信接続先の無線基地局装置を選択する。
【０２３４】
このように、サービング基地局から送信される基地局情報に対応する無線基地局装置の中からＭ２Ｍ端末２０２Ｂの通信接続先を選択するため、特定の無線基地局装置以外の無線基地局装置が通信接続先として選択されることを防ぐことができる。
【０２３５】
また、本発明の第１の実施の形態に係るＭ２Ｍ端末２０２Ｂは、３ＧＰＰ(Third Generation Partnership Project)で規定されたＡｕｔｏｎｏｍｏｕｓ  Ｓｅａｒｃｈが無効にされている。
【０２３６】
このように、Ｍ２Ｍ端末２０２Ｂの「Autonomous Search」が無効にされていることにより、特定の無線基地局装置以外の無線基地局装置がＭ２Ｍ端末２０２Ｂの通信接続先として自動的に選択されることを防ぐことができる。
【０２３７】
また、本発明の第１の実施の形態において、特定の無線基地局装置は、所定の加入者グループに属する無線端末装置および異なる加入者グループに属する無線端末装置の両方に対して通信を許可するハイブリッドモードで動作することも可能である。
【０２３８】
このような構成である場合、所定の加入者グループに属していない携帯電話などの移動端末２０２Ａが特定の無線基地局装置により形成されるセル内に移動した場合に、移動端末２０２Ａにおける通信が切断させることを防ぐことができる。
【０２３９】
また、本発明の第１の実施の形態において、無線基地局装置は、所定の加入者グループに属するＭ２Ｍ端末２０２Ｂに対して自己との通信を許可する動作を行うことが可能であり、Ｍ２Ｍ端末２０２Ｂの通信接続先の無線基地局装置であるサービング基地局は、自己以外の無線基地局装置のうち、自己が通信を許可する加入者グループを許可対象とする無線基地局装置に関する基地局情報をＭ２Ｍ端末２０２Ｂへ送信する。また、Ｍ２Ｍ端末２０２Ｂは、サービング基地局から他の無線基地局装置へ通信接続先を変更する際、サービング基地局から受信した基地局情報に対応する無線基地局装置の中から通信接続先の無線基地局装置を選択する。
【０２４０】
このように、Ｍ２Ｍ端末２０２Ｂの通信接続先の候補を、Ｍ２Ｍ端末２０２Ｂの属する加入者グループを許可対象にする無線基地局装置に限定したうえで当該無線端末装置に通信接続先の選択を行わせることにより、Ｍ２Ｍ端末２０２Ｂによる選択のための処理を軽減させることができる。
【０２４１】
また、本発明の第１の実施の形態に係るＭ２Ｍ端末２０２Ｂでは、情報取得部３６が、無線基地局装置に関する基地局情報を取得する。また、判断部３７が、情報取得部３６により取得された基地局情報に基づいて、基地局情報に対応する無線基地局装置が所定の加入者グループに属する無線端末装置に対して当該無線基地局装置との通信を許可する許可動作を行うか否かを判断する。また、通信制御部３８が、無線基地局装置が上記許可動作を行う場合には、無線基地局装置に対する通信接続を確立する処理を行う。
【０２４２】
このような構成により、いずれの加入者グループにも属していない無線端末装置を許可対象とする、すなわちオープンアクセスモードで動作する無線基地局装置に対して通信接続が確立されることを防ぎ、当該無線基地局装置が輻輳状態となることを防ぐことができるため、たとえば携帯電話などのいずれの加入者グループにも属していない移動端末２０２Ａとオープンアクセスモードで動作する無線基地局装置との間における通信が切断されることを防ぎ、通信の安定化を図ることができる。
【０２４３】
また、本発明の第１の実施の形態に係るＭ２Ｍ端末２０２Ｂにおいて、判断部３７は、無線基地局装置が上記許可動作を行わない場合には、新たに取得された基地局情報に対応する無線基地局装置が上記許可動作を行うか否かを判断する。
【０２４４】
このように、上記許可動作を行う無線基地局装置が検索されるまで上記判断が繰り返されることにより、所定の加入者グループに属するＭ２Ｍ端末２０２Ｂとオープンアクセスモードで動作する無線基地局装置との間における通信接続が確立されることをより確実に防ぐことができる。
【０２４５】
また、本発明の第１の実施の形態のＭ２Ｍ端末２０２Ｂでは、通信制御部３８が、無線基地局装置に対する通信接続を確立する処理を行う場合、キャンプ処理を上記無線基地局装置に対して行う。
【０２４６】
このように、無線基地局装置に対する通信接続を確立する処理が行われる場合に、当該無線基地局装置に対してキャンプ処理が行われることにより、Ｍ２Ｍ端末２０２Ｂと当該無線基地局装置との間における通信を可能にすることができる。
【０２４７】
また、本発明の第１の実施の形態のＭ２Ｍ端末２０２Ｂでは、通信制御部３８が、無線基地局装置に対する通信接続を確立する処理を行う場合、アタッチ処理を行う。
【０２４８】
このように、無線基地局装置に対する通信接続を確立する処理が行われる場合に、上位ネットワークに対してアタッチ処理が行われることにより、上位ネットワークに対してＭ２Ｍ端末２０２Ｂの端末登録を行うことができる。
【０２４９】
また、本発明の第１の実施の形態に係るＭ２Ｍ端末２０２Ｂでは、情報取得部３６が、無線基地局装置に関する基地局情報を取得する。また、判断部３７が、情報取得部３６により取得された基地局情報に基づいて、この基地局情報に対応する無線基地局装置が自己のＭ２Ｍ端末２０２Ｂの属する加入者グループを許可対象とする無線基地局装置であるか否かを判断する。また、通信制御部３８が、無線基地局装置が自己のＭ２Ｍ端末２０２Ｂの属する加入者グループを許可対象とする場合には、上記無線基地局装置に対する通信接続を確立する処理を行う。
【０２５０】
このように、Ｍ２Ｍ端末２０２Ｂと、Ｍ２Ｍ端末２０２Ｂの属する加入者グループを許可対象とする無線基地局装置との間の通信接続を確立する構成により、公衆移動通信網等の他の無線基地局装置によるネットワークに大きな影響を与えることなく、当該Ｍ２Ｍ端末２０２Ｂおよび当該Ｍ２Ｍ端末２０２Ｂの属する加入者グループを許可対象とする所定の無線基地局装置によるネットワークを柔軟に構築することができる。
【０２５１】
また、上記のように、制限されたネットワーク内においてＭ２Ｍ端末２０２Ｂと所定の無線基地局装置との間の通信接続が確立されるため、多数のＭ２Ｍ端末２０２Ｂが特定のエリアに存在する場合であっても、上記所定の無線基地局装置以外の無線基地局装置が輻輳状態となることを防ぎ、上記所定の無線基地局装置以外の無線基地局装置に係る負荷を軽減させることができる。このため、携帯電話などの移動端末が、当該特定のエリア内に移動してきた場合であっても、この移動端末における通信が切断されることを防ぎ、通信の安定化を図ることができる。
【０２５２】
また、本発明の第１の実施の形態に係るＭ２Ｍ端末２０２Ｂにおいて、判断部３７は、無線基地局装置が自己のＭ２Ｍ端末２０２Ｂの属する加入者グループを許可対象としない場合には、新たに取得された基地局情報に対応する無線基地局装置が自己のＭ２Ｍ端末２０２Ｂの属する加入者グループを許可対象とする無線基地局装置であるか否かを判断する。
【０２５３】
このように、Ｍ２Ｍ端末２０２Ｂの属する加入者グループを許可対象とする無線基地局装置が検索されるまで上記判断が繰り返されることにより、Ｍ２Ｍ端末２０２Ｂと、当該Ｍ２Ｍ端末２０２Ｂの属する加入者グループを許可対象とする無線基地局装置以外の無線基地局装置との間において通信接続が確立されることをより確実に防ぐことができる。
【０２５４】
また、本発明の第１の実施の形態に係るＭ２Ｍ端末２０２Ｂにおいて、判断部３７は、情報取得部３６により取得された基地局情報に基づいて、この基地局情報に対応する無線基地局装置が所定の加入者グループに属する無線端末装置に対して通信を許可する許可動作を行うか否かを判断し、無線基地局装置が上記許可動作を行う場合には、この無線基地局装置が、自己のＭ２Ｍ端末２０２Ｂの属する加入者グループを許可対象とする無線基地局装置であるか否かを判断する。
【０２５５】
このような構成により、取得した基地局情報に対応する無線基地局装置が自己のＭ２Ｍ端末２０２Ｂの属する加入者グループを許可対象とする無線基地局装置であるか否かの判断における判断対象を減らすことができるため、上記判断のための処理を軽減させることができる。
【０２５６】
また、本発明の第１の実施の形態に係るＭ２Ｍ端末２０２Ｂでは、通信制御部３８が、無線基地局装置に対する通信接続を確立する処理を行う場合、キャンプ処理を上記無線基地局装置に対して行う。
【０２５７】
このように、無線基地局装置に対する通信接続を確立する処理が行われる場合に、当該無線基地局装置に対してキャンプ処理が行われることにより、Ｍ２Ｍ端末２０２Ｂと当該無線基地局装置との間における通信を可能にすることができる。
【０２５８】
また、本発明の第１の実施の形態に係るＭ２Ｍ端末２０２Ｂでは、通信制御部３８が、無線基地局装置に対する通信接続を確立する処理を行う場合、アタッチ処理を行う。
【０２５９】
このように、無線基地局装置に対する通信接続を確立する処理が行われる場合に、上位ネットワークに対してアタッチ処理が行われることにより、上位ネットワークに対して当該Ｍ２Ｍ端末２０２Ｂの端末登録を行うことができる。
【０２６０】
また、本発明の第１の実施の形態に係る無線端末装置は、固定的に設置されるか、または所定のエリア内での移動に制限されているＭ２Ｍ端末２０２Ｂである。
【０２６１】
ここで、Ｍ２Ｍ端末２０２Ｂが固定的に設置されるか、または所定のエリア内での移動に制限されている状況では、特定のエリアに常時多数のＭ２Ｍ端末２０２Ｂが存在することによって無線基地局装置が輻輳状態となる可能性が高い。しかしながら、本発明に係るＭ２Ｍ端末２０２Ｂによれば、制限されたネットワーク内において当該Ｍ２Ｍ端末２０２Ｂと特定の無線基地局装置との間の通信接続を確立させることができるため、当該Ｍ２Ｍ端末２０２Ｂが固定的に設置されるか、または所定のエリア内での移動に制限されている状況において特に有効である。
【０２６２】
［変形例］
上述した本発明の第１の実施の形態では、複数の無線基地局装置がそれぞれ直接コアネットワークに接続されている場合について説明した。これに対して、本発明の第１の実施の形態の変形例では、複数の無線基地局装置がＨｅＮＢ−ＧＷ等のゲートウェイ装置に接続され、これら複数の無線基地局装置とコアネットワークとがゲートウェイ装置経由で接続されている場合について説明する。
【０２６３】
図１１は、本発明の第１の実施の形態の変形例に係る通信システムの構成を示す図である。
【０２６４】
図１１を参照して、本発明の第１の実施の形態の変形例に係る通信システム４０２は、図３に示す通信システム４０１と同様に、たとえば３ＧＰＰで規格化されたＬＴＥ（Long Term Evolution）に従う移動体通信システムであり、コアネットワーク（上位ネットワーク）３０２と、ゲートウェイ装置（ＨｅＮＢ−ＧＷ）１５１と、下位ネットワーク１２１Ａ，１２１Ｂ，１２１Ｃとを備える。
【０２６５】
下位ネットワーク１２１Ａ，１２１Ｂ，１２１Ｃは、それぞれ異なるエリアに設けられたネットワークであり、１または複数の無線基地局装置を含む。
【０２６６】
たとえば、下位ネットワーク１２１ＡはＡ社内に設けられたネットワークであり、複数の無線基地局装置１０２ＦＡを含む。また、下位ネットワーク１２１ＢはＢ社内に設けられたネットワークであり、複数の無線基地局装置１０２ＦＢを含む。また、下位ネットワーク１２１ＣはＣ社内に設けられたネットワークであり、複数の無線基地局装置１０２ＦＣを含む。なお、図１１では、３つの下位ネットワーク１２１Ａ，１２１Ｂ，１２１Ｃがゲートウェイ装置１５１に接続されている状況を示しているが、ゲートウェイ装置１５１に接続される下位ネットワークは、１つ、２つ、または４つ以上であってもよい。
【０２６７】
無線基地局装置１０２ＦＡ，１０２ＦＢ，１０２ＦＣは、たとえばフェムト基地局である。無線基地局装置１０２ＦＡはセルＦＣＡを形成し、無線基地局装置１０２ＦＢはセルＦＣＢを形成し、無線基地局装置１０２ＦＣはセルＦＣＣを形成する。
【０２６８】
また、無線基地局装置１０２ＦＡ，１０２ＦＢ，１０２ＦＣは、それぞれＣＳＧ−ＩＤが割り当てられており、所定の加入者グループに属する無線端末装置、すなわち登録されたメンバーである無線端末装置に対して通信を許可するクローズドアクセスモードで動作する。
【０２６９】
たとえば、無線基地局装置１０２ＦＡのＣＳＧ−ＩＤは５５５５であり、無線基地局装置１０２ＦＢのＣＳＧ−ＩＤは６６６６であり、無線基地局装置１０２ＦＣのＣＳＧ−ＩＤは７７７７ある。なお、同一の下位ネットワークに設けられている無線基地局装置同士は、必ずしも同じＣＳＧ−ＩＤが割り当てられている必要はなく、通信を許可する許可対象の加入者グループが同じであれば、複数の無線基地局装置間で異なるＣＳＧ−ＩＤが割り当てられていても良い。
【０２７０】
なお、無線基地局装置１０２ＦＡ，１０２ＦＢ，１０２ＦＣは、それぞれ図３に示す無線基地局装置１０１ＦＡ，１０１ＦＢ，１０１ＦＣ，１０１ＦＤと同様の動作を行うため、ここでの詳細な説明は省略する。
【０２７１】
また、Ａ社内、Ｂ社内およびＣ社内には、Ｍ２Ｍネットワークシステムにおける無線機を搭載した機器、すなわちＭ２Ｍ端末が存在している。ここでは、Ａ社内にＭ２Ｍ端末２０３Ｂａが存在し、Ｂ社内にＭ２Ｍ端末２０３Ｂｂが存在し、Ｃ社内にＭ２Ｍ端末２０３Ｂｃが存在している状況について説明する。
【０２７２】
Ｍ２Ｍ端末２０３Ｂａ，２０３Ｂｂ，２０３Ｂｃは、リスト（White list）を保持し、このリストを構成する「Allowed CSG list」および「Operator CSG list」のうち「Operator CSG list」には、自己のＭ２Ｍ端末２０３Ｂａ，２０３Ｂｂ，２０３Ｂｃに割り当てられるＣＳＧ−ＩＤが記されている。
【０２７３】
具体的には、Ｍ２Ｍ端末２０３ＢａのＣＳＧ−ＩＤは５５５５であり、Ｍ２Ｍ端末２０３ＢｂのＣＳＧ−ＩＤは６６６６であり、Ｍ２Ｍ端末２０３ＢｃのＣＳＧ−ＩＤは７７７７である。
【０２７４】
Ｍ２Ｍ端末２０３Ｂａ，２０３Ｂｂ，２０３Ｂｃは、起動されると、リストを参照して、自己に割り当てられているＣＳＧ−ＩＤと同じＣＳＧ−ＩＤが割り当てられている無線基地局装置を特定の無線基地局装置として判断し、当該特定の無線基地局装置に対して選択的に通信接続を確立する処理を行う。
【０２７５】
すなわち、ＣＳＧ−ＩＤが５５５５であるＭ２Ｍ端末２０３Ｂａは、同じくＣＳＧ−ＩＤが５５５５である無線基地局装置１０２ＦＡに対して通信接続を確立し、ＣＳＧ−ＩＤが６６６６であるＭ２Ｍ端末２０３Ｂｂは、同じくＣＳＧ−ＩＤが６６６６である無線基地局装置１０２ＦＢに対して通信接続を確立し、ＣＳＧ−ＩＤが７７７７であるＭ２Ｍ端末２０３Ｂｃは、同じくＣＳＧ−ＩＤが７７７７である無線基地局装置１０２ＦＣに対して通信接続を確立する。
【０２７６】
これにより、Ａ社内に存在するＭ２Ｍ端末２０３Ｂａは、無線基地局装置１０２ＦＡとの間で通信接続を確立させ、無線基地局装置１０２ＦＡおよびゲートウェイ装置１５１を経由してコアネットワーク３０２との間でデータの送受信を行う。また、Ｂ社内に存在するＭ２Ｍ端末２０３Ｂｂは、無線基地局装置１０２ＦＢとの間で通信接続を確立させ、無線基地局装置１０２ＦＢおよびゲートウェイ装置１５１を経由してコアネットワーク３０２との間でデータの送受信を行う。また、Ｃ社内に存在するＭ２Ｍ端末２０３Ｂｃは、無線基地局装置１０２ＦＣとの間で通信接続を確立させ、無線基地局装置１０２ＦＣおよびゲートウェイ装置１５１を経由してコアネットワーク３０２との間でデータの送受信を行う。
【０２７７】
なお、Ｍ２Ｍ端末２０３Ｂａ，２０３Ｂｂ，２０３Ｂｃの他の構成および動作は、図３に示すＭ２Ｍ端末２０２Ｂａ，２０２Ｂｂ，２０２Ｂｃと同様であるため、ここでの詳細な説明は省略する。
【０２７８】
上記のように、本発明の第１の実施の形態の変形例に係る通信システム４０２では、ゲートウェイ装置１５１が、複数の無線基地局装置とコアネットワーク３０２との間で送受信されるデータを中継する。また、１または複数の無線基地局装置が、所定の加入者グループに属するＭ２Ｍ端末２０３Ｂａ，２０３Ｂｂ，２０３Ｂｃに対して自己との通信を許可する動作を行うことが可能である。
【０２７９】
このように、ゲートウェイ装置１５１経由で無線基地局装置とコアネットワーク３０２とを接続することにより、コアネットワーク３０２の管理対象を少なくして、コアネットワーク３０２に集中するアクセスを分散させることができる。
【０２８０】
また、本発明の第１の実施の形態の変形例に係る通信システム４０２において、ゲートウェイ装置１５１は、コアネットワーク３０２と、１または複数の無線基地局装置をそれぞれ含む下位ネットワーク１２１Ａ，１２１Ｂ，１２１Ｃとの間で送受信されるデータを中継し、下位ネットワーク１２１Ａ，１２１Ｂ，１２１Ｃ毎に、無線基地局装置が通信を許可する加入者グループが異なる。
【０２８１】
このような構成により、Ｍ２Ｍネットワークシステムを適用するエリアがそれぞれ異なる場所に複数存在する状況であっても、これらのエリアをゲートウェイ装置１５１で集約して管理することができる。
【０２８２】
＜第２の実施の形態＞
次に、本発明の第２の実施の形態について説明する。上述した第１の実施の形態では、Ｍ２Ｍ端末２０２Ｂが、自己に割り当てられているＣＳＧ−ＩＤと無線基地局装置に割り当てられているＣＳＧ−ＩＤとが同じであるか否かに基づいて、通信接続を確立するか否かを判断する場合について説明した。これに対して、本発明の第２の実施の形態では、Ｍ２Ｍ端末２０４Ｂが、無線基地局装置の識別情報を取得し、この識別情報に基づいて通信接続の確立を行うか否かを判断する場合ついて説明する。
【０２８３】
［構成および基本動作］
図１２は、本発明の第２の実施の形態に係る無線端末装置を備える通信システムの構成を示す図である。
【０２８４】
図１２を参照して、通信システム４０３は、図３に示す本発明の第１の実施の形態に係る通信システム４０１と同様に、たとえば３ＧＰＰで規格化されたＬＴＥに従う移動体通信システムであり、無線基地局装置１０３ＭＡ，１０３ＭＢおよびコアネットワーク（上位ネットワーク）３０３を備える。
【０２８５】
無線基地局装置１０３ＭＡ，１０３ＭＢは、たとえばマクロ基地局である。無線基地局装置１０３ＭＡは、セルＭＣＡを形成し、セルＭＣＡ内に存在する無線端末装置、すなわち移動端末２０４ＡまたはＭ２Ｍ端末２０４Ｂａ，２０４Ｂｂ，２０４Ｂｃと通信することが可能である。なお、Ｍ２Ｍ端末２０４Ｂａ，２０４Ｂｂ，２０４Ｂｃを総称して、以下「Ｍ２Ｍ端末２０４Ｂ」とも称する。また、無線基地局装置１０３ＭＢは、セルＭＣＢを形成し、セルＭＣＢ内に存在する移動端末２０４ＡまたはＭ２Ｍ端末２０４Ｂと通信することが可能である。
【０２８６】
通信システム４０３は、さらに、セルＭＣＡ内に設けられた無線基地局装置１０３ＦＡ，１０３ＦＢ，１０３ＦＣ，１０３ＦＤを備える。無線基地局装置１０３ＦＡ，１０３ＦＢ，１０３ＦＣ，１０３ＦＤは、たとえばフェムト基地局である。無線基地局装置１０３ＦＡはセルＦＣＡを形成し、無線基地局装置１０３ＦＢはセルＦＣＢを形成し、無線基地局装置１０３ＦＣはセルＦＣＣを形成し、無線基地局装置１０３ＦＤはセルＦＣＤを形成する。
【０２８７】
また、無線基地局装置１０３ＦＡ，１０３ＦＢ，１０３ＦＣ，１０３ＦＤは、それぞれ自己の識別情報（以下、「セルＩＤ（cell Identity）」と称する）を有している。このセルＩＤは、たとえば２８ビットの比較的長いビット列である。
【０２８８】
Ｍ２Ｍ端末２０４Ｂは、上述した本発明の第１の実施の形態に係るＭ２Ｍ端末２０２Ｂと同様に、Ｍ２Ｍネットワークシステムにおける無線機を搭載した機器であり、特定の無線基地局装置との間で通信を行うことができる。たとえば、Ｍ２Ｍ端末２０４Ｂａおよび無線基地局装置１０３ＦＡは共通のＭ２Ｍネットワークを構成し、Ｍ２Ｍ端末２０４Ｂａは、無線基地局装置１０３ＦＡとの通信接続を確立することができる。
【０２８９】
コアネットワーク３０３は、ＭＭＥ（通信制御装置）１６２と、ＨＳＳ（加入者情報管理装置）１６４とを含む。ＭＭＥ（Mobility Management Entity）１６２は、通信システム４０３における無線基地局装置１０３ＭＡ，１０３ＭＢ，１０３ＦＡ，１０３ＦＢ，１０３ＦＣ，１０３ＦＤの管理を行う。また、ＨＳＳ（Home Subscriber Server）１６４は、通信システム４０３における移動端末２０４ＡおよびＭ２Ｍ端末２０４Ｂの加入者情報を管理する。
【０２９０】
［Ｍ２Ｍ端末の構成］
図１３は、本発明の第２の実施の形態に係る無線端末装置の構成を示す図である。
【０２９１】
図１３を参照して、本発明の第２の実施の形態に係るＭ２Ｍ端末２０４Ｂは、無線機２１と、信号処理部２２とを含む。無線機２１は、アンテナ３１と、サーキュレータ３２と、受信部３３と、送信部３４とを有する。信号処理部２２は、情報取得部３６と、判断部３７と、通信制御部３８と、リスト記憶部４０とを有する。
【０２９２】
無線機２１のアンテナ３１、サーキュレータ３２、受信部３３および送信部３４は、図６に示す本発明の第１の実施の形態に係るＭ２Ｍ端末２０２Ｂの無線機２１における各構成と同様であるため、ここでの詳細な説明は繰り返さない。
【０２９３】
信号処理部２２の情報取得部３６は、無線基地局装置１０３ＭＡ，１０３ＭＢ，１０３ＦＡ，１０３ＦＢ，１０３ＦＣ，１０３ＦＤから報知される自セル情報のデジタル信号を取得し、取得したデジタル信号に対して、ＯＦＤＭ（Orthogonal Frequency Division Multiplex）方式におけるＦＦＴ（Fast Fourier Transform）等の各種信号処理を行い、判断部３７に出力する。
【０２９４】
情報取得部３６は、たとえば、無線信号の帯域幅およびセルのフィジカルＩＤなど無線基地局装置を特定するために用いられる情報（Master Information Block）、ならびに各無線基地局装置のセルＩＤなどの情報（System Information Block Type 1）を含む自セル情報を、基地局情報として取得する。
【０２９５】
リスト記憶部４０は、識別情報リストを記憶する。この識別情報リストには、たとえば自己のＭ２Ｍ端末２０４Ｂとの通信接続を確立することが可能な１または複数の無線基地局装置のセルＩＤが含まれている。また、この識別情報リストは、不揮発データとして保存される。このため、Ｍ２Ｍ端末２０４Ｂは、電源がオフされた場合であっても、この識別情報リストを保持し、次に電源がオンされた際に、電源がオフされる前に保持していた識別情報リストをそのまま用いることができる。なお、識別情報リストには、自己のＭ２Ｍ端末２０４Ｂとの通信接続を確立することが可能な無線基地局装置のセルＩＤの代わりに、自己のＭ２Ｍ端末２０４Ｂとの通信接続を確立することができない１または複数の無線基地局装置のセルＩＤが含まれていてもよい。
【０２９６】
情報取得部３６は、リスト記憶部４０に記憶された識別情報リストを参照して、この識別情報リストに含まれるセルＩＤに対応する無線基地局装置の送信周波数を、無線機２１を介して検索することにより、識別情報リストに含まれるセルＩＤに対応する無線基地局装置から「Master Information Block」を含む自セル情報を取得する。
【０２９７】
そして、情報取得部３６は、取得した「Master Information Block」に基づいて、識別情報リストに含まれるセルＩＤに対応する無線基地局装置を特定し、特定した無線基地局装置から「System Information Block Type 1」を含む自セル情報を受信する。そして、判断部３７は、情報取得部３６から「System Information Block Type 1」を含む自セル情報を受けると、リスト記憶部４０に記憶されている識別情報リストを参照し、「System Information Block Type 1」に含まれるセルＩＤが識別情報リストに含まれているか否かを判断する。
【０２９８】
そして、判断部３７は、情報取得部３６から受けた自セル情報に含まれるセルＩＤが識別情報リストに含まれていると判断した場合には、当該セルＩＤに対応する無線基地局装置が特定の無線基地局装置であると判断し、この特定の無線基地局装置に対して通信接続確立のための処理を行うことを決定する。そして、判断部３７は、決定内容を通信制御部３８に出力する。
【０２９９】
一方、判断部３７は、情報取得部３６から受けた自セル情報に含まれるセルＩＤが識別情報リストに含まれていないと判断した場合には、当該セルＩＤに対応する無線基地局装置が特定の無線基地局装置ではないと判断して、他の無線基地局装置に関する基地局情報を新たに取得することを決定する。そして、判断部３７は、決定内容を情報取得部３６に出力する。
【０３００】
また、情報取得部３６は、Ｍ２Ｍネットワークを構成する無線基地局装置の追加等に対応するため、識別情報リストに含まれるセルＩＤに対応する無線基地局装置の送信周波数だけでなく、所定の周波数範囲で無線信号の周波数検索を行い、自己のＭ２Ｍ端末２０４Ｂの周辺セルを検出する。そして、情報取得部３６は、検出した周辺セルを形成する無線基地局装置から報知される自セル情報に含まれる「Master Information Block」および「System Information Block Type 1」を取得する。なお、情報取得部３６は、このような周波数検索を、たとえば２時間毎または２４時間毎など、所定のタイミングで行うことができる。
【０３０１】
そして、この場合、判断部３７は、情報取得部３６により取得された「System Information Block Type 1」に基づいて、この「System Information Block Type 1」の送信元である無線基地局装置の種別が所定種別であるか否かを判断する。この所定種別は、たとえばフェムト基地局であり、ここでは、無線基地局装置が所定種別である場合とは、無線基地局装置がフェムト基地局である場合を意味するものとする。
【０３０２】
ここで、「System Information Block Type 1」には、スケジューリング情報である「sib-Mapping Info」が含まれている。そして、自セル情報の送信元である無線基地局装置がフェムト基地局、すなわち無線基地局装置１０３ＦＡ，１０３ＦＢ，１０３ＦＣ，１０３ＦＤのうちのいずれかである場合、この「sib-Mapping Info」に「System Information Block Type 9」が割り当てられていることが示されている。
【０３０３】
このため、判断部３７は、「System Information Block Type 1」に含まれる「sib-Mapping Info」に「System Information Block Type 9」が割り当てられているか否かを判断することにより、自セル情報の送信元である無線基地局装置がフェムト基地局であるか否か、すなわち自己のＭ２Ｍ端末２０４Ｂの通信接続先となる可能性があるか否かを判断することができる。そして、判断部３７は、「System Information Block Type 9」が割り当てられていると判断した場合、判断結果を情報取得部３６へ出力する。
【０３０４】
そして、情報取得部３６は、フェムト基地局である無線基地局装置から「System Information Block Type 9」を取得し、「System Information Block Type 9」の中から、フェムトセル毎に付けられた識別情報である「hnb-Name」を読み出す。
【０３０５】
なお、自セル情報の送信元がフェムト基地局であるか否かを判断するためには、「sib-Mapping Info」に「System Information Block Type 9」が割り当てられているか否かを判断することで足りるため、情報取得部３６は必ずしも「hnb-Name」を読み出す必要はない。
【０３０６】
また、判断部３７は、自セル情報の送信元である無線基地局装置がフェムト基地局であると判断した場合、このフェムト基地局である無線基地局装置に対して通信接続確立のための処理を行うことを決定する。そして、判断部３７は、決定内容を通信制御部３８に出力する。
【０３０７】
通信制御部３８は、特定の無線基地局装置であると判断された無線基地局装置に対する通信接続の確立のための処理を行うことを示す決定内容を受けると、無線機２１を介して種々の情報を当該特定の無線基地局装置との間で送受信する。また、通信制御部３８は、フェムト基地局であると判断された無線基地局装置に対する通信接続の確立のための処理を行うことを示す決定内容を受けた場合も、上記と同様に、無線機２１を介して種々の情報を当該フェムト基地局との間で送受信する。
【０３０８】
また、フェムト基地局であると判断された無線基地局装置は、必ずしもＭ２Ｍ端末２０４Ｂとの通信接続が許可されている無線基地局装置であるとは限らない。このため、Ｍ２Ｍ端末２０４Ｂと無線基地局装置との間で通信接続の確立のための処理が行われる際、コアネットワーク３０３における上位装置、すなわちＭＭＥ１６２またはＨＳＳ１６４は、これらＭ２Ｍ端末２０４Ｂと無線基地局装置との通信接続を確立させることが可能であるか否かを判定する。
【０３０９】
これにより、Ｍ２Ｍ端末２０４Ｂと無線基地局装置との通信接続を確立させることが可能であるとＭＭＥ１６２またはＨＳＳ１６４によって判定された場合、Ｍ２Ｍ端末２０４Ｂと無線基地局装置との間で通信接続が確立される。また、通信接続が確立された場合、判断部３７は、当該無線基地局装置のセルＩＤが識別情報リストに含まれているか否かを判断し、識別情報リストに含まれていない場合には、判断部３７は、当該セルＩＤを識別情報リストに追加する。
【０３１０】
なお、上記のように、Ｍ２Ｍ端末２０４Ｂ自身で、無線基地局装置のセルＩＤを識別情報リストに追加することができるが、Ｍ２Ｍネットワークに無線基地局装置が追加された場合、たとえばネットワーク事業者が手動により、この無線基地局装置のセルＩＤを識別情報リストに追加することも可能である。
【０３１１】
また、通信システム４０３は、図１２に示すような形態に限定されず、たとえば図１１に示す本発明の第１の実施の形態の変形例に係る通信システム４０２のように、無線基地局装置１０３ＭＡ，１０３ＭＢ，１０３ＦＡ，１０３ＦＢ，１０３ＦＣ，１０３ＦＤとコアネットワーク３０３との間で送受信されるデータを中継するゲートウェイ装置を備えていてもよい。
【０３１２】
［動作］
次に、本発明の第２の実施の形態に係るＭ２Ｍ端末２０４Ｂが自己の通信接続先となる無線基地局装置を選択する際の動作について、「識別情報リストに基づく通信接続先の選択動作」、「識別情報リストへ新たなセルＩＤを追加する動作」および「Ｍ２Ｍ端末と無線基地局装置との通信接続の可否判定の動作」に分けて説明する。
【０３１３】
なお、本発明の第２の実施の形態に係るＭ２Ｍ端末２０４Ｂおよび無線基地局装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【０３１４】
（１）識別情報リストに基づく通信接続先の選択動作
図１４は、本発明の第２の実施の形態に係る無線端末装置を備える通信システムにおいて、無線端末装置が自己の通信接続先となる無線基地局装置を選択する際の動作の流れを示すシーケンスの一例である。
【０３１５】
図１４を参照して、まず、Ｍ２Ｍ端末２０４Ｂの情報取得部３６は、リスト記憶部４０に記憶された識別情報リストを参照し、識別情報リストに含まれるセルＩＤに対応する無線基地局装置の送信周波数を検索する。たとえば、識別情報リストに無線基地局装置１０３ＦＡのセルＩＤが記されている場合、情報取得部３６は、この無線基地局装置１０３ＦＡの送信周波数の検索を行う（ステップＳ５１）。なお、識別情報リストに複数の無線基地局装置のセルＩＤが記されている場合には、情報取得部３６は、これら複数の無線基地局装置について、それぞれ送信周波数の検索を行う。
【０３１６】
次に、情報取得部３６は、無線基地局装置１０３ＭＡ，１０３ＭＢ，１０３ＦＡ，１０３ＦＢ，１０３ＦＣ，１０３ＦＤから報知される自セル情報のうち、検索した送信周波数の無線信号を受信することにより、識別情報リストに含まれるセルＩＤに対応する無線基地局装置１０３ＦＡから報知される自セル情報を受信する（ステップＳ５２）。この自セル情報には、「Master Information Block」が含まれる。
【０３１７】
次に、情報取得部３６は、受信した自セル情報の「Master Information Block」に基づいて、無線基地局装置１０３ＦＡを特定し、特定した無線基地局装置１０３ＦＡから、無線基地局装置１０３ＦＡを示すセルＩＤ（cell Identity）などの情報（System Information Block Type 1）を含む自セル情報を受信する（ステップＳ５３）。
【０３１８】
次に、判断部３７は、リスト記憶部４０に記憶された識別情報リストを参照し、情報取得部３６により受信された自セル情報の「System Information Block Type 1」に含まれるセルＩＤが、識別情報リストに含まれているか否かを判断する（ステップＳ５４）。
【０３１９】
そして、判断部３７は、「System Information Block Type 1」に含まれるセルＩＤが識別情報リストに含まれていると判断した場合（ステップＳ５４において「Ｙｅｓ」）、この「System Information Block Type 1」の送信元である無線基地局装置１０３ＦＡに対して通信接続確立のための処理を行うことを決定し、決定内容を通信制御部３８に出力する。そして、通信制御部３８は、当該決定内容を受けて、自己のＭ２Ｍ端末２０４Ｂと無線基地局装置１０３ＦＡとの通信接続確立のための処理およびアタッチ処理を実行する（ステップＳ５５）。
【０３２０】
一方、判断部３７は、「System Information Block Type 1」に含まれるセルＩＤが識別情報リストに含まれていないと判断した場合（ステップＳ５４において「Ｎｏ」）、ステップＳ５１において検索された送信周波数に対応する自セル情報のうち、受信していない自セル情報を新たに受信して（ステップＳ５２）、上述の動作を繰り返す。
【０３２１】
（２）識別情報リストに新たなセルＩＤを追加する動作
図１５は、本発明の第２の実施の形態に係る無線端末装置を備える通信システムにおいて、無線端末装置が識別情報リストへ新たなセルＩＤを追加する際の動作の流れを示すシーケンスの一例である。
【０３２２】
図１５を参照して、まず、Ｍ２Ｍ端末２０４Ｂの情報取得部３６は、識別情報リストに含まれるセルＩＤに対応する無線基地局装置の送信周波数だけでなく、たとえば「Autonomous Search」機能を利用して、所定の周波数範囲内で無線信号の周波数検索を行い、周辺セルを検出する（ステップＳ６１）。
【０３２３】
次に、情報取得部３６は、検出した周辺セルを形成する無線基地局装置から報知される自セル情報を受信する（ステップＳ６２）。この自セル情報には、「Master Information Block」が含まれる。
【０３２４】
次に、情報取得部３６は、受信した自セル情報の「Master Information Block」に基づいて、検出した周辺セルを形成する無線基地局装置を特定し、特定した無線基地局装置から、当該無線基地局装置を示すセルＩＤなどの情報（System Information Block Type 1）を含む自セル情報を受信する（ステップＳ６３）。
【０３２５】
次に、判断部３７は、情報取得部３６により受信された自セル情報に含まれる「sib-Mapping Info」に「System Information Block Type 9」（ＳＩＢ９）が割り当てられているか否かを判断する（ステップＳ６４）。
【０３２６】
そして、判断部３７は、自セル情報の「System Information Block Type 1」に含まれる「sib-Mapping Info」に「System Information Block Type 9」が割り当てられていると判断した場合（ステップＳ６４において「Ｙｅｓ」）、すなわち、この「System Information Block Type 1」の送信元である無線基地局装置がフェムト基地局であると判断した場合、判断結果を情報取得部３６へ出力する。そして、情報取得部３６は、当該フェムト基地局から、「System Information Block Type 9」を含む自セル情報を受信する（ステップＳ６５）。
【０３２７】
次に、判断部３７は、情報取得部３６により受信された自セル情報の「System Information Block Type 9」の中から「hnb-Name」を読み出すことができるか否かを判断する（ステップＳ６６）。
【０３２８】
そして、判断部３７は、「hnb-Name」を読み出すことができた場合（ステップＳ６６において「Ｙｅｓ」）、「System Information Block Type 1」の送信元である無線基地局装置に対して通信接続確立のための処理を行うことを決定し、決定内容を通信制御部３８に出力する。そして、通信制御部３８は、当該決定内容を受けて、自己のＭ２Ｍ端末２０４Ｂと当該無線基地局装置との間でＲＲＣコネクションの確立処理を行う（ステップＳ６７）。
【０３２９】
一方、判断部３７は、自セル情報の「System Information Block Type 1」に含まれる「sib-Mapping Info」に「System Information Block Type 9」が割り当てられていないと判断した場合（ステップＳ６４において「Ｎｏ」）、または、自セル情報の「System Information Block Type 9」に含まれる「hnb-Name」を読み出すことができないと判断した場合（ステップＳ６６において「Ｎｏ」）、判断結果を情報取得部３６へ出力する。そして、情報取得部３６は、新たに無線信号の周波数検索を行い（ステップＳ６１）、上述の動作を繰り返す。
【０３３０】
次に、通信制御部３８は、ステップＳ６７においてＲＲＣコネクションを確立させた後、コアネットワーク３０３に対する端末登録処理であるアタッチ処理を実行する（ステップＳ６８）。
【０３３１】
次に、判断部３７は、ステップＳ６８において実行したアタッチ処理が成功したか否か、すなわち、自己のＭ２Ｍ端末２０４Ｂと無線基地局装置との通信接続の確立が維持されたままアタッチ処理が終了したか否かを判断する（ステップＳ６９）。
【０３３２】
そして、判断部３７は、自己のＭ２Ｍ端末２０４Ｂと無線基地局装置との通信接続が確立されなかったと判断した場合（ステップＳ６９において「Ｎｏ」）、判断結果を情報取得部３６へ出力する。そして、情報取得部３６は、新たに無線信号の周波数検索を行い（ステップＳ６１）、上述の動作を繰り返す。
【０３３３】
一方、判断部３７は、自己のＭ２Ｍ端末２０４Ｂと無線基地局装置との通信接続が確立されたと判断した場合（ステップＳ６９において「Ｙｅｓ」）、ステップＳ６３において情報取得部３６により受信された自セル情報の「System Information Block Type 1」に含まれるセルＩＤが、リスト記憶部４０に記憶された識別情報リストに含まれるか否かを判断する（ステップＳ７０）。
【０３３４】
そして、判断部３７は、このセルＩＤが識別情報リストに含まれていないと判断した場合（ステップＳ７０において「Ｎｏ」）、このセルＩＤを識別情報リストに追加する（ステップＳ７１）。
【０３３５】
一方、判断部３７は、このセルＩＤが識別情報リストに含まれていると判断した場合（ステップＳ７０において「Ｙｅｓ」）、判断結果を情報取得部３６へ出力する。そして、情報取得部３６は、新たに無線信号の周波数検索を行い（ステップＳ６１）、上述の動作を繰り返す。
【０３３６】
なお、上述のとおり、自セル情報の「System Information Block Type 1」に含まれる「sib-Mapping Info」に「System Information Block Type 9」が割り当てられているか否かを判断することによって、この自セル情報を送信した無線基地局装置がフェムト基地局であるか否かを判断することができる。すなわち、判断部３７は、「System Information Block Type 9」の中から「hnb-Name」を読み出すことができるか否かの判断を行うことなく、この自セル情報を送信した無線基地局装置がフェムト基地局であるか否かを判断することができる。このため、上述したステップＳ６５およびステップＳ６６は、必ずしも実行される必要はない。
【０３３７】
（３）Ｍ２Ｍ端末と無線基地局装置との通信接続の可否判定の動作
ここで、図１５に示すステップＳ６８において、Ｍ２Ｍ端末２０４Ｂは、無線基地局装置がフェムト基地局であると判断した場合、当該フェムト基地局に対するキャンプ処理、および、コアネットワーク３０３に対するアタッチ処理を実行する。しかしながら、上述のとおり、このフェムト基地局は、Ｍ２Ｍ端末２０４Ｂとの間で通信接続の確立が可能な無線基地局装置であるとは限らず、コアネットワーク３０３におけるＭＭＥ１６２またはＨＳＳ１６４が、これらＭ２Ｍ端末２０４Ｂと無線基地局装置との通信接続の可否を判定する。以下、「（ａ）ＭＭＥによる通信接続の可否判定」および「（ｂ）ＨＳＳによる通信接続の可否判定」に分けて説明する。
【０３３８】
（ａ）ＭＭＥによる通信接続の可否判定
図１６は、本発明の第２の実施の形態に係る無線基地局装置を備える通信システムにおいて、ＭＭＥが無線端末装置と無線基地局装置との通信接続の可否を判断する際の動作の流れを示すシーケンスの一例である。
【０３３９】
図１６を参照して、まず、Ｍ２Ｍ端末２０４Ｂは、無線基地局装置との間でＲＲＣコネクションの確立処理を行った後、無線基地局装置へＲＲＣコネクション接続完了通知（RRC Connection Setup Complete）を送信する。このＲＲＣコネクション接続完了通知には、コアネットワーク３０３に対するアタッチ処理を行うためのアタッチ要求（Attach Request）が含まれる（ステップＳ８１）。
【０３４０】
次に、無線基地局装置は、Ｍ２Ｍ端末２０４Ｂから受信したアタッチ要求を、ＭＭＥ１６２へ送信する。このアタッチ要求には、Ｍ２Ｍ端末２０４Ｂの識別情報である端末ＩＤおよび無線基地局装置のセルＩＤが含まれる（ステップＳ８２）。
【０３４１】
次に、ＭＭＥ１６２は、無線基地局装置から受けたアタッチ要求に含まれるＭ２Ｍ端末２０４の端末ＩＤを取得する（ステップＳ８３）。また、ＭＭＥ１６２は、無線基地局装置から受けたアタッチ要求に含まれるセルＩＤを取得する（ステップＳ８４）。
【０３４２】
次に、ＭＭＥ１６２は、ステップＳ８３において取得した端末ＩＤおよびステップＳ８４において取得したセルＩＤに基づいて、Ｍ２Ｍ端末２０４Ｂと無線基地局装置との通信接続の可否を判定する（ステップＳ８５）。
【０３４３】
たとえば、１または複数の無線端末装置２０４Ａ，２０４Ｂと、各無線端末装置２０４Ａ，２０４Ｂとの通信接続が可能な無線基地局装置とが対応づけられた対応テーブルがＨＳＳ１６４に記憶されている。そして、ＭＭＥ１６２は、ＨＳＳ１６４からこの対応テーブルを取得し、この対応テーブルに基づいてＭ２Ｍ端末２０４Ｂが無線基地局装置に通信接続できるか否かを判定する。
【０３４４】
そして、ＭＭＥ１６２は、Ｍ２Ｍ端末２０４Ｂと、この無線基地局装置とが対応テーブルにおいて対応づけられていない場合など、Ｍ２Ｍ端末２０４Ｂと無線基地局装置との通信接続を行うことができないと判定した場合（ステップＳ８５において「Ｎｏ」）、無線基地局装置へアタッチ拒否通知（Attach Reject）を送信する（ステップＳ８６）。
【０３４５】
次に、無線基地局装置は、ＭＭＥ１６２から受けたアタッチ拒否通知をＭ２Ｍ端末２０４Ｂへ送信する（ステップＳ８７）。
【０３４６】
次に、ＭＭＥ１６２は、端末情報解放指示（UE Context Release Command）を無線基地局装置へ送信する（ステップＳ８８）。
【０３４７】
そして、無線基地局装置は、ＭＭＥ１６２から端末情報解放指示を受信して、Ｍ２Ｍ端末２０４ＢへＲＲＣコネクション解放通知（RRC Connection Release）を送信し（ステップＳ８９）、さらに、ＭＭＥ１６２へ端末情報解放完了通知（UE Context Release Complete）を送信する（ステップＳ９０）。
【０３４８】
これにより、Ｍ２Ｍ端末２０４Ｂと無線基地局装置との通信接続の確立が解除され、アタッチ処理が終了する（ステップＳ９１）。
【０３４９】
一方、ＭＭＥ１６２は、Ｍ２Ｍ端末２０４Ｂと無線基地局装置との通信接続を行うことが可能であると判定した場合（ステップＳ８５において「Ｙｅｓ」）、Ｍ２Ｍ端末２０４Ｂの認証手順（Authentication Procedure）（ステップＳ９２）、および、セキュリティ情報の送受信等のセキュリティ手順（Security Mode Setting Procedure）を実行する（ステップＳ９３）。
【０３５０】
次に、ＭＭＥ１６２は、セキュリティ情報などの情報送信要求（Initial Context Setup Request）、および、アタッチ要求に対する応答であるアタッチ受諾（Attach Accept）を無線基地局装置へ送信する（ステップＳ９４）。
【０３５１】
次に、Ｍ２Ｍ端末２０４Ｂは、無線基地局装置からセキュリティ情報などを受信して、セキュリティ完了通知を無線基地局装置へ送信するなど、無線基地局装置との間でセキュリティ手順（Security Mode Setting Procedure）を実行する（ステップＳ９５）。
【０３５２】
次に、無線基地局装置は、Ｍ２Ｍ端末２０４Ｂとの間でＲＲＣコネクション再構成手順を実行する。すなわち、無線基地局装置は、Ｍ２Ｍ端末２０４ＢへＲＲＣコネクション再構成指示（RRC Connection Reconfiguration）を送信し、Ｍ２Ｍ端末２０４Ｂは、無線基地局装置へＲＲＣコネクション再構成完了通知（RRC Connection Reconfiguration Complete）を送信する（ステップＳ９６）。
【０３５３】
次に、無線基地局装置は、Ｍ２Ｍ端末２０４Ｂからセキュリティ完了通知およびＲＲＣコネクション再構成完了通知を受信すると、情報送信要求に対する情報送信応答をＭＭＥ１６２へ送信する（ステップＳ９７）。
【０３５４】
次に、Ｍ２Ｍ端末２０４Ｂから伝送メッセージが送信されると（ステップＳ９８）、無線基地局装置は、アタッチ完了通知（Attach Complete）をＭＭＥ１６２へ送信する（ステップＳ９９）。これにより、Ｍ２Ｍ端末２０４Ｂと無線基地局装置との通信接続の確立が維持されたまま、アタッチ処理が終了する。
【０３５５】
なお、上述したステップＳ８３からステップＳ９１までの動作は、ＭＭＥ１６２が無線基地局装置へアタッチ受諾を送信するまで、すなわちステップＳ９４までであれば、たとえば、Ｍ２Ｍ端末２０４Ｂの認証手順（ステップＳ９２）またはセキュリティ手順（ステップＳ９３）の後に行ってもよい。
【０３５６】
（ｂ）ＨＳＳによる通信接続の可否判定
図１７は、本発明の第２の実施の形態に係る無線基地局装置を備える通信システムにおいて、ＨＳＳが無線端末装置と無線基地局装置との通信接続の可否を判断する際の動作の流れを示すシーケンスの一例である。
【０３５７】
図１７を参照して、ステップＳ１０１からステップＳ１０４までの動作は、図１６に示すステップＳ８１からステップＳ８４までの動作と同様であるため、ここでの詳細な説明は繰り返さない。
【０３５８】
次に、ＭＭＥ１６２は、ステップＳ１０３において取得したＭ２Ｍ端末２０４Ｂの端末ＩＤ、および、ステップＳ１０４において取得した無線基地局装置のセルＩＤをＨＳＳ１６４へ送信する（ステップＳ１０５）。
【０３５９】
次に、ＨＳＳ１６４は、端末ＩＤおよびセルＩＤに基づいて、Ｍ２Ｍ端末２０４Ｂと無線基地局装置との通信接続の可否を判定する。たとえば、ＨＳＳ１６４は、上記と同様に、自己の管理対象である１または複数の無線端末装置２０４Ａ，２０４Ｂと、各無線端末装置２０４Ａ，２０４Ｂとの間で通信接続が可能な無線基地局装置とが対応づけられた対応テーブルを記憶し、この対応テーブルを参照して、Ｍ２Ｍ端末２０４Ｂと無線基地局装置との通信接続の可否を判定する（ステップＳ１０６）。
【０３６０】
そして、ＨＳＳ１６４は、Ｍ２Ｍ端末２０４Ｂと無線基地局装置との通信接続を行うことができないと判定した場合（ステップＳ１０６において「Ｎｏ」）、ＭＭＥ１６２へ通信接続の不可を通知する（ステップＳ１０７）。
【０３６１】
そして、ＭＭＥ１６２が通信接続の不可を示す通知をＨＳＳ１６４から受けた後のステップＳ１０８からステップＳ１１３までの動作は、図１６に示すステップＳ８６からステップＳ９１までの動作と同様であるため、ここでの詳細な説明は繰り返さない。
【０３６２】
一方、ＨＳＳ１６４は、Ｍ２Ｍ端末２０４Ｂと無線基地局装置との通信接続を行うことが可能であると判定した場合（ステップＳ１０６において「Ｙｅｓ」）、ＭＭＥ１６２へ通信接続が可能であることを通知する（ステップＳ１１４）。
【０３６３】
そして、ＭＭＥ１６２が通信接続が可能であることを示す通知をＨＳＳ１６４から受けた後のステップＳ１１５からステップＳ１２２までの動作は、図１６に示すステップＳ９２からステップＳ９９までの動作と同様であるため、ここでの詳細な説明は繰り返さない。
【０３６４】
なお、図１６に示す動作の流れと同様に、上述したステップＳ１０３からステップＳ１１４までの動作は、ＭＭＥ１６２が無線基地局装置へアタッチ受諾を送信するまで、すなわちステップＳ１１７までであれば、たとえば、Ｍ２Ｍ端末２０４Ｂの認証手順（ステップＳ１１５）またはセキュリティ手順（ステップＳ１１６）の後に行ってもよい。
【０３６５】
上記のように、本発明の第２の実施の形態に係るＭ２Ｍ端末２０４Ｂでは、判断部３７は、無線基地局装置のセルＩＤを無線基地局装置から取得する。また、Ｍ２Ｍ端末２０４Ｂは、１または複数の無線基地局装置のセルＩＤを含む識別情報リストを記憶するリスト記憶部４０を備える。そして、判断部３７は、取得したセルＩＤが識別情報リストに含まれているか否かに基づいて、無線基地局装置が特定の無線基地局装置であるか否かを判断する。
【０３６６】
このように、Ｍ２Ｍ端末２０４Ｂが、無線基地局装置のセルＩＤのリストを備えることにより、複雑な判断処理を行うことなく、当該無線端末装置の通信接続先として適切な無線基地局装置であるか否かの判断を容易に行うことができる。
【０３６７】
また、本発明の第２の実施の形態に係るＭ２Ｍ端末２０４Ｂでは、判断部３７は、自己の無線端末装置と無線基地局装置との通信接続が確立された場合、通信接続が確立された無線基地局装置のセルＩＤが識別情報リストに含まれているか否かを確認し、このセルＩＤが識別情報リストに含まれていない場合、このセルＩＤを識別情報リストに追加する。
【０３６８】
このような構成により、ネットワークに新たに無線基地局装置が追加された場合などであっても、当該無線基地局装置のセルＩＤを識別情報リストに追加することができるため、識別情報リストへの追加後は、既に識別情報リストに含まれる他の無線基地局装置と同様に、当該新たな無線基地局装置を特定の無線基地局装置として判断することができる。
【０３６９】
また、本発明の第２の実施の形態に係るＭ２Ｍ端末２０４Ｂでは、判断部３７は、無線基地局装置の種別が所定種別であるか否かを判断する。また、通信制御部３８は、判断部３７により所定種別であると判断された無線基地局装置に対して通信接続を確立するための処理を開始する。
【０３７０】
このような構成により、Ｍ２Ｍ端末２０４Ｂは、たとえばフェムト基地局など、自己との通信接続が可能である確率の高い無線基地局装置に対して、優先的に通信接続を確立するための処理を開始することができる。
【０３７１】
また、本発明の第２の実施の形態に係る通信システム４０３では、Ｍ２Ｍ端末２０４Ｂは、無線基地局装置に対する通信接続を確立した後、アタッチ処理を行うためのアタッチ要求を前記無線基地局装置へ送信する。また、無線基地局装置は、Ｍ２Ｍ端末２０４Ｂからアタッチ要求を受信すると、このＭ２Ｍ端末２０４Ｂの識別情報および自己の識別情報が含まれるアタッチ要求をコアネットワーク３０３へ送信する。また、コアネットワーク３０３における上位装置は、Ｍ２Ｍ端末２０４Ｂの識別情報および無線基地局装置の識別情報に基づいて、Ｍ２Ｍ端末２０４Ｂと無線基地局装置との通信接続の可否を判定する。
【０３７２】
このように、Ｍ２Ｍ端末２０４Ｂおよび無線基地局装置に関する情報を管理するコアネットワーク３０３における上位装置において通信接続の可否の判定が行われる構成により、通信接続の可否の判定を適切に行うことができる。
【０３７３】
また、Ｍ２Ｍ端末２０４Ｂは、ネットワークを構成する無線基地局装置の追加等に対応するため、識別情報リストに含まれていない無線基地局装置に対して通信接続の確立のための処理を行うことがあり、このような場合に、上記のように、Ｍ２Ｍ端末２０４Ｂおよび無線基地局装置に関する情報を管理するコアネットワーク３０３における上位装置によって通信接続の可否の判定が行われる構成が一層有効である。
【０３７４】
また、本発明の第２の実施の形態に係る通信システム４０３において、コアネットワーク３０３における上位装置は、１または複数の無線基地局装置を管理するためのＭＭＥ１６２である。
【０３７５】
このように、無線基地局装置を管理するＭＭＥ１６２が上記判定を行う構成であるため、通信接続の可否の判定を適切に行うことができる。
【０３７６】
また、本発明の第２の実施の形態に係る通信システム４０３において、コアネットワーク３０３における上位装置は、無線端末装置２０４Ａ，２０４Ｂの加入者情報を管理するためのＨＳＳ１６４である。
【０３７７】
このように、無線端末装置２０４Ａ，２０４Ｂの加入者情報を管理するＨＳＳ１６４が通信接続の可否の判定を行う構成であるため、上記判定を適切に行うことができる。
【０３７８】
また、本発明の第２の実施の形態に係る通信システム４０３では、コアネットワーク３０３における上位装置は、無線基地局装置から送信されたアタッチ要求に対する応答を無線基地局装置へ送信するまでに、Ｍ２Ｍ端末２０４Ｂと無線基地局装置との通信接続の可否の判定を行う。
【０３７９】
このような構成により、通信接続の可否の判定が行われるまでアタッチ要求に対する応答が無線基地局装置へ送信されないことから、通信接続が許可されていない無線基地局装置との無線端末装置との通信接続が確立されることを防ぐことができる。
【０３８０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０３８１】
２１  無線機
２２  信号処理部
３１  アンテナ
３２  サーキュレータ
３３  受信部
３４  送信部
３６  情報取得部
３７  判断部
３８  通信制御部
３９  記憶部
４０  リスト記憶部
１０１Ａ，１０１Ｂ，１０１ＭＡ，１０１ＭＢ  無線基地局装置
１０３ＭＡ，１０３ＭＢ  無線基地局装置
１０１ＦＡ，１０１ＦＢ，１０１ＦＣ，１０１ＦＤ  無線基地局装置
１０２ＦＡ，１０２ＦＢ，１０２ＦＣ  無線基地局装置
１０３ＦＡ，１０３ＦＢ，１０３ＦＣ，１０３ＦＤ  無線基地局装置
１２１Ａ，１２１Ｂ，１２１Ｃ  下位ネットワーク
１５１  ゲートウェイ装置
１６２  ＭＭＥ（通信制御装置）
１６４  ＨＳＳ（加入者情報管理装置）
２０２  無線端末装置
２０２Ａ  移動端末（無線端末装置）
２０２Ｂ，２０２Ｂａ，２０２Ｂｂ，２０２Ｂｃ  Ｍ２Ｍ端末（無線端末装置）
２０３Ｂａ，２０３Ｂｂ，２０２Ｂｃ  Ｍ２Ｍ端末（無線端末装置）
２０４Ａ  移動端末（無線端末装置）
２０４Ｂ，２０４Ｂａ，２０４Ｂｂ，２０４Ｂｃ  Ｍ２Ｍ端末（無線端末装置）
３０１，３０２，３０３  コアネットワーク（上位ネットワーク）
４００，４０１，４０２，４０３  通信ネットワーク
【図１】
2014017801.tif 000003
【図２】
2014017801.tif 000004
【図３】
2014017801.tif 000005
【図４】
2014017801.tif 000006
【図５】
2014017801.tif 000007
【図６】
2014017801.tif 000008
【図７】
2014017801.tif 000009
【図８】
2014017801.tif 000010
【図９】
2014017801.tif 000011
【図１０】
2014017801.tif 000012
【図１１】
2014017801.tif 000013
【図１２】
2014017801.tif 000014
【図１３】
2014017801.tif 000015
【図１４】
2014017801.tif 000016
【図１５】
2014017801.tif 000017
【図１６】
2014017801.tif 000018
【図１７】
2014017801.tif 000019